(57)【要約】  ディスク挿入口から挿入されたディスクを再生可能位置に搬送するディスク搬送機構と、再生可能位置に搬送されたディスクをターンテーブル上に装着するディスク装着機構と、ディスク挿入口を外側から塞ぐ閉蓋位置とディスク挿入口を外部に露出させる開蓋位置とに手動操作により移動可能に設けられた蓋体と、閉蓋位置に移動された蓋体を当該閉蓋位置で保持すると共に開蓋位置に移動された蓋体を当該開蓋位置で保持する保持機構と、蓋体の開閉動作に連動して保持機構による保持状態を切り換える蓋開閉切換機構とを備え、蓋開閉切換機構は、ディスク装着機構によるディスク装着動作に連動して移動する作動部材の移動力を利用して蓋体の開蓋位置での保持状態を解除し、蓋体を閉蓋位置に自動的に移動させるように構成される。
2012104938.tif 000002
【特許請求の範囲】
【請求項１】
ディスク挿入口から挿入されたディスクを再生可能位置に搬送するディスク搬送動作を行うディスク搬送機構と、
前記再生可能位置に搬送されたディスクを再生可能なクランプ状態にするためにターンテーブル上に装着するディスク装着動作を行うディスク装着機構と、
前記ディスク挿入口を外側から塞ぐ閉蓋位置と前記ディスク挿入口を外部に露出させる開蓋位置とに、手動操作により移動可能に設けられた蓋体と、
前記閉蓋位置に移動された前記蓋体を当該閉蓋位置で保持すると共に、前記開蓋位置に移動された前記蓋体を当該開蓋位置で保持する保持機構と、
前記蓋体の開閉動作に連動して前記保持機構による保持状態を切り換える蓋開閉切換機構と、
を備えるスロットイン方式のディスク装置であって、
前記ディスク装着機構は、前記ディスク装着動作に連動して移動する作動部材を備え、
前記蓋開閉切換機構は、前記ディスク挿入口に前記ディスクが挿入されたとき、前記ディスク装着動作時における前記作動部材の移動力を利用して前記蓋体が前記保持機構により前記開蓋位置で保持された状態を解除し、前記蓋体を前記開蓋位置から前記閉蓋位置に自動的に移動させるように構成された、ディスク装置。
【請求項２】
前記ディスクが前記ターンテーブル上に装着された状態で前記蓋体が手動操作により前記閉蓋位置から前記開蓋位置に移動されたとき、前記ディスク装着機構が前記ディスクのクランプ状態を解除すると共に前記ディスク搬送機構が前記クランプ状態を解除された前記ディスクを前記ディスク挿入口に搬出するディスク排出動作が自動的に行われるように構成された、請求項１に記載のディスク装置。
【請求項３】
前記ディスク搬送機構及び前記ディスク装着機構を駆動する駆動力を発生する駆動源と、
前記駆動源を制御する制御部と、
前記ディスクが前記ターンテーブル上に装着されているか否かを検出するディスク装着検出部と、
前記蓋体の開閉状態を検知する蓋開閉検出部と、
をさらに備え、
前記制御部は、前記蓋体が前記閉蓋位置から前記開蓋位置に移動したことを前記蓋開閉検出部が検出すると共に、前記ディスクが前記ターンテーブル上に装着されていることを前記ディスク装着検出部が検出したとき、前記ディスク排出動作が行われるように前記駆動源を制御する、請求項２に記載のディスク装置。
【請求項４】
前記蓋開閉切換機構は、前記ディスク排出動作時に前記作動部材が移動するとき、前記作動部材の移動力は前記保持機構に伝達されることなく、前記蓋体が前記開蓋位置で保持された状態を維持するように構成された、請求項２又は３に記載のディスク装置。
【請求項５】
前記蓋開閉切換機構は、
前記ディスク装置の外装ケースの内部に配置された回動軸を中心として回動することにより、前記閉蓋位置と前記開蓋位置との間で前記蓋体を移動させるように構成された蓋体アームを備え、
前記蓋体アームは、前記ディスク装着動作時における前記作動部材の移動力を利用して回動することにより、前記蓋体が前記保持機構により前記開蓋位置で保持された状態を解除し、前記蓋体を前記開蓋位置から前記閉蓋位置に移動させるように構成された、請求項１に記載のディスク装置。
【請求項６】
前記蓋開閉切換機構は、
前記作動部材に回動自在に設けられたキックアームと、
前記ディスク装置の外装ケースの内部に配置された回動軸を中心として回動することにより、前記閉蓋位置と前記開蓋位置との間で前記蓋体を移動させるように構成された蓋体アームと、を備え、
前記キックアームは、当該キックアームの回動軸から離れた位置にカム部を有し、
前記カム部は、前記作動部材に接触するように付勢され、
前記蓋体アームは、前記カム部と係合可能な係合部を有し、
前記ディスク装着動作時に前記作動部材と伴に前記キックアームが移動するとき、前記蓋体アームの係合部が前記キックアームのカム部に係合して前記蓋体アームが回動し、当該蓋体アームの回動により、前記蓋体が前記保持機構により前記開蓋位置で保持された状態が解除されて前記蓋体が前記閉蓋位置に移動する一方、前記ディスク排出動作時に前記作動部材と伴に前記キックアームが移動するとき、前記蓋体アームの係合部が前記キックアームのカム部に係合して前記蓋体アームが回動することなく前記キックアームが付勢力に抗して前記蓋体アームから離れる方向に回動し、前記蓋体が前記保持機構により前記開蓋位置で保持された状態を維持するように構成された、請求項２〜４のいずれか１つに記載のディスク装置。
【請求項７】
前記保持機構は、前記蓋体アームを回動方向に付勢するバネ部材を備え、
前記バネ部材は、前記蓋体を前記開蓋位置から前記閉蓋位置に移動させるように前記蓋体アームが回動する途中で、当該蓋体アームを付勢する方向が反転するように構成された、請求項５又は６に記載のディスク装置。
【発明の詳細な説明】
【技術分野】
【０００１】
本発明は、ＣＤやＤＶＤ、ＢＤ等のディスク状の記録媒体（以下、ディスクという）を、トレイを用いずに装置内の再生可能位置に搬送するように構成されたスロットイン方式のディスク装置に関する。
【背景技術】
【０００２】
従来、この種のディスク装置は、通常、筐体の正面に設けられたディスク挿入口を通じてディスクを筐体内へ直接挿入するように構成されている。ディスク挿入口を通じて挿入されたディスクは、ローラなどを備えるディスク搬送機構により再生可能位置に搬送される。【０００３】
この種のディスク装置においては、ディスク挿入口が外部に露出しているため、当該ディスク挿入口を通じて塵などの異物が筐体内に侵入するおそれがある。異物が筐体内に侵入した場合、動作不良や故障が生ずるおそれがある。この異物の侵入を防ぐ構成としては、例えば、特許文献１（特開２０１０−５５６７０号公報）に開示されたものがある。【０００４】
特許文献１には、筐体に設けられたディスク挿入口をディスクが通過した後、筐体の上壁の一部を構成する蓋体を回動させてディスク挿入口を閉じるように構成されたディスク装置が開示されている。また、特許文献１には、外装ケース内に前記ディスク装置を収容し、当該外装ケースの正面に、ディスクを挿通可能なスリットが設けられた略防塵材を取り付けたものが開示されている。【０００５】
また、筐体内への異物の侵入を防ぐ構成としては、特許文献２（特開２０００−２６８５４９号公報）に開示されたものもある。特許文献２の装置は、ディスクを筐体内に直接挿入するものではなく、ディスクをカートリッジに収納にした状態で筐体内に挿入するものである。特許文献２の装置は、カートリッジの挿入口を開閉可能な防塵蓋と、防塵蓋の開閉を検知するスイッチとを備え、防塵蓋が挿入口を閉蓋するときのみディスクに対する記録・再生を許可するように構成されている。
【先行技術文献】
【特許文献】
【０００６】
【特許文献１】特開２０１０−５５６７０号公報
【特許文献２】特開２０００−２６８５４９号公報
【発明の概要】
【発明が解決しようとする課題】
【０００７】
通常、スロットイン方式のディスク装置においては、ディスクが筐体内に存在しているか否かが、表示部に表示されるなどしない限り外見上では分からない。このため、ディスクが筐体内に存在する状態で別のディスクが筐体内へ挿入されるという誤挿入が行われるおそれがある。誤挿入が行われると、ディスクに傷が付くなどの問題が発生し得る。【０００８】
特許文献１のディスク装置では、ディスクが筐体内に存在するとき、蓋体がディスク挿入口を塞ぐので、誤挿入が発生しないようにも思われる。しかしながら、特許文献１のディスク装置は、特許文献１の図４に示されるように、通常は、外装ケースに収容されて使用されるものであるため、蓋体がディスク挿入口を塞いでいるか否かを、外装ケースの外側から認識することができない。このため、ディスクが筐体内に存在する状態で別のディスクが外装ケースの開口部に挿入されるという誤挿入が行われるおそれがある。【０００９】
また、特許文献２の装置は、防塵蓋が挿入口を開蓋しているとき、ディスクに対する記録・再生を禁止するように構成されているが、防塵蓋が開蓋されたまま放置されることがあり得る。また、特許文献２の装置は、カートリッジが筐体内に存在する状態で別のカートリッジが筐体内に挿入されることを防止するようには構成されていない。【００１０】
従って、本発明の目的は、前記問題を解決することにあって、異物の侵入を防止すると共に、ディスクの誤挿入を防止することができるディスク装置を提供することにある。
【課題を解決するための手段】
【００１１】
前記目的を達成するために、本発明は以下のように構成する。
本発明によれば、ディスク挿入口から挿入されたディスクを再生可能位置に搬送するディスク搬送動作を行うディスク搬送機構と、
前記再生可能位置に搬送されたディスクを再生可能なクランプ状態にするためにターンテーブル上に装着するディスク装着動作を行うディスク装着機構と、
前記ディスク挿入口を外側から塞ぐ閉蓋位置と前記ディスク挿入口を外部に露出させる開蓋位置とに、手動操作により移動可能に設けられた蓋体と、
前記閉蓋位置に移動された前記蓋体を当該閉蓋位置で保持すると共に、前記開蓋位置に移動された前記蓋体を当該開蓋位置で保持する保持機構と、
前記蓋体の開閉動作に連動して前記保持機構による保持状態を切り換える蓋開閉切換機構と、
を備えるスロットイン方式のディスク装置であって、
前記ディスク装着機構は、前記ディスク装着動作に連動して移動する作動部材を備え、
前記蓋開閉切換機構は、前記ディスク挿入口に前記ディスクが挿入されたとき、前記ディスク装着動作時における前記作動部材の移動力を利用して前記蓋体が前記保持機構により前記開蓋位置で保持された状態を解除し、前記蓋体を前記開蓋位置から前記閉蓋位置に自動的に移動させるように構成された、ディスク装置を提供する。
【発明の効果】
【００１２】
本発明のディスク装置によれば、ディスク挿入口を外側から塞ぐ蓋体を備えているので、装置内に異物が侵入することを防止することができる。また、ディスク挿入口にディスクが挿入されたとき、作動部材の移動力を利用して蓋体を閉蓋位置に自動的に移動させるようにしているので、ディスクがターンテーブル上に存在するときに蓋体が開蓋位置で放置されるようなことを防ぐことができる。これにより、装置内に異物が侵入することを一層防止することができると共に、ディスクの誤挿入を防止することができる。また、ディスク装着機構の作動部材の移動力を利用して蓋体を閉蓋位置に移動させるので、蓋体の開閉のために別途駆動源を設ける必要がないと共に、別途閉蓋操作する必要もない。
【図面の簡単な説明】
【００１３】
本発明のこれらと他の目的と特徴は、添付された図面についての好ましい実施形態に関連した次の記述から明らかになる。この図面においては、
【図１Ａ】図１Ａは、本発明の実施形態にかかるディスク装置の斜視図であって、蓋体が閉蓋位置に位置する状態を示す図であり、
【図１Ｂ】図１Ｂは、本発明の実施形態にかかるディスク装置の斜視図であって、蓋体が開蓋位置に位置する状態を示す図であり、
【図２Ａ】図２Ａは、本発明の実施形態にかかるディスク装置に内蔵されたディスクドライブユニットと蓋体との取付状態を示す斜視図であって、蓋体が閉蓋位置に位置する状態を示す図であり、
【図２Ｂ】図２Ｂは、本発明の実施形態にかかるディスク装置に内蔵されたディスクドライブユニットと蓋体との取付状態を示す斜視図であって、蓋体が開蓋位置に位置する状態を示す図であり、
【図３】図３は、本発明の実施形態にかかるディスク装置に内蔵されたディスクドライブユニットを構成する部品を一部ユニット化して示す分解斜視図であり、
【図４】図４は、図３に示すディスクドライブユニットの内部構造を示す平面図であり、
【図５】図５は、蓋体の開閉動作に関連する部品の構成を一部透過して示す上面図であり、
【図６】図６は、蓋体の開閉動作に関連する部品の構成を一部透過して示す斜視図であり、
【図７】図７は、スライドカム部材とキックアームの構成を示す斜視図であり、
【図８Ａ】図８Ａは、蓋体の開閉動作に関連する部品の構成を一部透過して示す側面図であって、蓋体が閉蓋位置に位置する状態を示す図であり、
【図８Ｂ】図８Ｂは、蓋体の開閉動作に関連する部品の構成を一部透過して示す側面図であって、蓋体が開蓋位置に位置する状態を示す図であり、
【図９】図９は、蓋体が閉蓋位置に位置するときのディスクドライブユニットのディスク挿入口と蓋体との位置関係を示す正面図であり、
【図１０】図１０は、図２に示すディスクドライブユニットの内部にディスクが挿入された直後の状態を示す上面図であり、
【図１１】図１１は、図２に示すディスクドライブユニットの内部にディスクを搬送する途中の状態を示す上面図であり、
【図１２】図１２は、図２に示すディスクドライブユニットの内部の再生可能位置にディスクが搬送された状態を示す上面図であり、
【図１３】図１３は、ディスクの搬入時におけるガイドレバー、センタリング部材、トリガレバー、及びスライドカム部材の位置関係を示す上面図であり、
【図１４】図１４は、図１３に示す状態から更にディスクの搬入が進行した状態を示す上面図であり、
【図１５】図１５は、一対のローラアームと一対のリンクアームとの取付状態を示す上面図であり、
【図１６Ａ】図１６Ａは、一対のローラアームが互いに近づく方向に回動した状態を示す下面図であり、
【図１６Ｂ】図１６Ｂは、一対のローラアームが互いに遠ざかる方向に回動した状態を示す下面図であり、
【図１７Ａ】図１７Ａは、ターンテーブルが下降した状態にあるときの中間シャーシと一対のスライドカム部材との位置関係を示す斜視図であり、
【図１７Ｂ】図１７Ｂは、ターンテーブルが下降した状態にあるときの中間シャーシと一対のスライドカム部材との位置関係を示す、図１７Ａとは別の角度から見た斜視図であり、
【図１８】図１８は、ターンテーブルが下降した状態にあるときのスライドカム部材とリンクアームとの位置関係を示す上面図であり、
【図１９Ａ】図１９Ａは、ターンテーブルが上昇した状態にあるときの中間シャーシと一対のスライドカム部材との位置関係を示す斜視図であり、
【図１９Ｂ】図１９Ｂは、ターンテーブルが上昇した状態にあるときの中間シャーシと一対のスライドカム部材との位置関係を示す、図１９Ａとは別の角度から見た斜視図であり、
【図２０】図２０は、ターンテーブルが上昇した状態にあるときのスライドカム部材とリンクアームとの位置関係を示す上面図であり、
【図２１Ａ】図２１Ａは、ディスクがターンテーブル上に装着されておらず且つ蓋体が閉蓋位置に位置するときの蓋体に関連する部品の位置関係を示す説明図であり、
【図２１Ｂ】図２１Ｂは、ディスクがターンテーブル上に装着されておらず且つ蓋体が閉蓋位置から開蓋位置に移動する途中における蓋体に関連する部品の位置関係を示す説明図であり、
【図２１Ｃ】図２１Ｃは、ディスクがターンテーブル上に装着されておらず且つ蓋体の開蓋位置への移動が完了したときの蓋体に関連する部品の位置関係を示す説明図であり、
【図２２Ａ】図２２Ａは、蓋体が開蓋位置に位置する状態でディスクを挿入した直後における蓋体に関連する部品の位置関係を示す説明図であり、
【図２２Ｂ】図２２Ｂは、ディスク装着動作に連動して蓋体が開蓋位置から閉蓋位置に移動する途中における蓋体に関連する部品の位置関係を示す説明図であり、
【図２２Ｃ】図２２Ｃは、ディスク装着動作及び蓋体の閉蓋位置への移動が完了したときの蓋体に関連する部品の位置関係を示す説明図であり、
【図２３Ａ】図２３Ａは、ディスクがターンテーブル上に装着され且つ蓋体が開蓋位置に位置するときの蓋体に関連する部品の位置関係を示す説明図であり、
【図２３Ｂ】図２３Ｂは、ディスク排出動作の途中における蓋体に関連する部品の位置関係を示す説明図であり、
【図２３Ｃ】図２３Ｃは、ディスク排出動作の完了時における蓋体に関連する部品の位置関係を示す説明図であり、
【図２４】図２４は、本発明の実施形態にかかるディスク装置の制御関係の構成を示すブロック図であり、
【図２５】図２５は、本発明の実施形態にかかるディスク装置の制御フローを示すフローチャートである。
【発明を実施するための形態】
【００１４】
本発明の第１態様によれば、ディスク挿入口から挿入されたディスクを再生可能位置に搬送するディスク搬送動作を行うディスク搬送機構と、
前記再生可能位置に搬送されたディスクを再生可能なクランプ状態にするためにターンテーブル上に装着するディスク装着動作を行うディスク装着機構と、
前記ディスク挿入口を外側から塞ぐ閉蓋位置と前記ディスク挿入口を外部に露出させる開蓋位置とに、手動操作により移動可能に設けられた蓋体と、
前記閉蓋位置に移動された前記蓋体を当該閉蓋位置で保持すると共に、前記開蓋位置に移動された前記蓋体を当該開蓋位置で保持する保持機構と、
前記蓋体の開閉動作に連動して前記保持機構による保持状態を切り換える蓋開閉切換機構と、
を備えるスロットイン方式のディスク装置であって、
前記ディスク装着機構は、前記ディスク装着動作に連動して移動する作動部材を備え、
前記蓋開閉切換機構は、前記ディスク挿入口に前記ディスクが挿入されたとき、前記ディスク装着動作時における前記作動部材の移動力を利用して前記蓋体が前記保持機構により前記開蓋位置で保持された状態を解除し、前記蓋体を前記開蓋位置から前記閉蓋位置に自動的に移動させるように構成された、ディスク装置を提供する。
【００１５】
本発明の第２態様によれば、前記ディスクが前記ターンテーブル上に装着された状態で前記蓋体が手動操作により前記閉蓋位置から前記開蓋位置に移動されたとき、前記ディスク装着機構が前記ディスクのクランプ状態を解除すると共に前記ディスク搬送機構が前記クランプ状態を解除された前記ディスクを前記ディスク挿入口に搬出するディスク排出動作が自動的に行われるように構成された、第１態様に記載のディスク装置を提供する。
【００１６】
本発明の第３態様によれば、前記ディスク搬送機構及び前記ディスク装着機構を駆動する駆動力を発生する駆動源と、
前記駆動源を制御する制御部と、
前記ディスクが前記ターンテーブル上に装着されているか否かを検出するディスク装着検出部と、
前記蓋体の開閉状態を検知する蓋開閉検出部と、
をさらに備え、
前記制御部は、前記蓋体が前記閉蓋位置から前記開蓋位置に移動したことを前記蓋開閉検出部が検出すると共に、前記ディスクが前記ターンテーブル上に装着されていることを前記ディスク装着検出部が検出したとき、前記ディスク排出動作が行われるように前記駆動源を制御する、第２態様に記載のディスク装置を提供する。
【００１７】
本発明の第４態様によれば、前記蓋開閉切換機構は、前記ディスク排出動作時に前記作動部材が移動するとき、前記作動部材の移動力は前記保持機構に伝達されることなく、前記蓋体が前記開蓋位置で保持された状態を維持するように構成された、第２又は３態様に記載のディスク装置を提供する。
【００１８】
本発明の第５態様によれば、前記蓋開閉切換機構は、
前記ディスク装置の外装ケースの内部に配置された回動軸を中心として回動することにより、前記閉蓋位置と前記開蓋位置との間で前記蓋体を移動させるように構成された蓋体アームを備え、
前記蓋体アームは、前記ディスク装着動作時における前記作動部材の移動力を利用して回動することにより、前記蓋体が前記保持機構により前記開蓋位置で保持された状態を解除し、前記蓋体を前記開蓋位置から前記閉蓋位置に移動させるように構成された、第１態様に記載のディスク装置を提供する。
【００１９】
本発明の第６態様によれば、前記蓋開閉切換機構は、
前記作動部材に回動自在に設けられたキックアームと、
前記ディスク装置の外装ケースの内部に配置された回動軸を中心として回動することにより、前記閉蓋位置と前記開蓋位置との間で前記蓋体を移動させるように構成された蓋体アームと、を備え、
前記キックアームは、当該キックアームの回動軸から離れた位置にカム部を有し、
前記カム部は、前記作動部材に接触するように付勢され、
前記蓋体アームは、前記カム部と係合可能な係合部を有し、
前記ディスク装着動作時に前記作動部材と伴に前記キックアームが移動するとき、前記蓋体アームの係合部が前記キックアームのカム部に係合して前記蓋体アームが回動し、当該蓋体アームの回動により、前記蓋体が前記保持機構により前記開蓋位置で保持された状態が解除されて前記蓋体が前記閉蓋位置に移動する一方、前記ディスク排出動作時に前記作動部材と伴に前記キックアームが移動するとき、前記蓋体アームの係合部が前記キックアームのカム部に係合して前記蓋体アームが回動することなく前記キックアームが付勢力に抗して前記蓋体アームから離れる方向に回動し、前記蓋体が前記保持機構により前記開蓋位置で保持された状態を維持するように構成された、第２〜４態様のいずれか１つに記載のディスク装置を提供する。
【００２０】
本発明の第７態様によれば、前記保持機構は、前記蓋体アームを回動方向に付勢するバネ部材を備え、
前記バネ部材は、前記蓋体を前記開蓋位置から前記閉蓋位置に移動させるように前記蓋体アームが回動する途中で、当該蓋体アームを付勢する方向が反転するように構成された、第５又は６態様に記載のディスク装置を提供する。
【００２１】
以下、本発明の実施形態について、図面を参照しながら説明する。なお、以下の全ての図において、同一又は相当部分には同一符号を付し、重複する説明は省略する。
【００２２】
《実施形態》
以下、本発明の実施形態にかかるディスク装置について説明する。図１Ａ及び図１Ｂは、本発明の実施形態にかかるディスク装置の斜視図である。
【００２３】
図１Ａ及び図１Ｂにおいて、１は、本実施形態かかるディスク装置の外装ケースである。外装ケース１の前面壁１ａには、挿入されるディスク２００が通過可能な開口部１ｂが形成され、当該開口部１ｂを塞ぐように蓋体２が設けられている。蓋体２は、開口部１ｂを開閉することができるように、矢印Ｂ１及びＢ２方向（略上下方向）に移動可能に設けられている。図１Ａは、蓋体２が開口部１ｂを閉塞する閉蓋位置２Ａに位置する状態を示しており、図１Ｂは、蓋体２が開口部１ｂを開放する開蓋位置２Ｂに位置する状態を示している。
【００２４】
図１Ａに示すように、蓋体２が閉蓋位置２Ａに位置するとき、蓋体２の前表面は、前面壁１ａの前表面とほぼ面一となるように構成されている。また、図１Ｂに示すように、蓋体２が開蓋位置２Ｂに位置するとき、蓋体２よりも外装ケース１の内側に設けられたディスク挿入口１０１ａが外部に露出するように構成されている。蓋体２が開蓋位置２Ｂに位置するとき、蓋体２の上表面は、ディスク２００をディスク挿入口１０１ａへの導くガイドとして機能する。
【００２５】
また、蓋体２は、ユーザの手指（手動操作）により移動可能に構成されている。ユーザは、図１Ａに示すように閉蓋位置２Ａに位置する蓋体２を、手指により矢印Ｂ２方向に押圧することにより、図１Ｂに示す開蓋位置２Ｂに蓋体２を移動させることができる。また、ユーザは、図１Ｂに示すように開蓋位置２Ｂに位置する蓋体２を、手指により矢印Ｂ１方向に押し上げることにより、図１Ａに示す閉蓋位置２Ａに蓋体２を移動させることができる。蓋体２の前表面と上表面との角部には、ユーザが閉蓋位置２Ａから開蓋位置２Ｂへ蓋体２を押圧し易いように、手指により押圧操作される凹部２ａが形成されている。
【００２６】
次に、図２Ａ及び図２Ｂを用いて、外装ケース１に内蔵されたディスクドライブユニット１００と蓋体２との位置関係について説明する。図２Ａ及び図２Ｂは、ディスクドライブユニット１００と蓋体２との取付状態を示す斜視図である。図２Ａは、蓋体２が閉蓋位置２Ａに位置する状態を示し、図２Ｂは、蓋体２が開蓋位置２Ｂに位置する状態を示している。
【００２７】
図２Ａ及び図２Ｂに示すように、蓋体２の一方の側部には蓋体アーム２ｂが連結され、蓋体２の他方の側部には蓋体アーム２ｃが連結されている。蓋体アーム２ｂは、ディスクドライブユニット１００の筐体１０１の一方の側壁の外面に回動自在に取り付けられている。蓋体アーム２ｃは、筐体１０１の他方の側壁の外面に回動自在に取り付けられている。蓋体アーム２ｂには、バネ部材の一例であるトグルばね４が取り付けられている。トグルばね４は、蓋体２が閉蓋位置２Ａ又は開蓋位置２Ｂのいずれかの位置で保持されるように、蓋体アーム２ｂを付勢する。トグルばね４の構成については、後で詳しく説明する。
【００２８】
次に、図３及び図４を用いて、外装ケース１に内蔵されたディスクドライブユニット１００の構成について説明する。図３は、ディスクドライブユニット１００を構成する部品を一部ユニット化して示す分解斜視図である。図４は、ディスクドライブユニット１００の内部構造を示す上面図である。ディスクドライブユニット１００は、トレイを用いずにディスク２００を筐体１０１内の再生可能位置に搬入するように構成されたスロットイン方式の装置である。
【００２９】
図３に示すように、ディスクドライブユニット１００は、当該ユニットの外郭となる筐体１０１を備えている。筐体１０１の正面には、前述したディスク挿入口１０１ａが設けられている。ディスク挿入口１０１ａは、防塵カバー３により筐体１０１の内側から塞がれている。防塵カバー３は、フェルト等の弾性材シート３ａを備えている。弾性シート３ａのほぼ中央部には、ディスク２００が通過可能なスリット３ｂが形成されている。ディスク２００の先端部が防塵カバー３を弾性変形させながらスリット３ｂ及びディスク挿入口１０１ａを通じて筐体１０１内に挿入されることにより、筐体１０１内に配置された後述するディスク搬送機構が駆動し、ディスク２００が再生可能位置まで搬送される。
【００３０】
筐体１０１のディスク挿入口１０１ａの近傍には、ディスク２００の下側をガイドするローラベース５のガイド部５ａと、ディスク２００の上側をガイドする上ガイド５ｂとが設けられている。ローラベース５は、ディスク２００を筐体１０１の内部に搬送する、ガイド及び駆動力伝達部として機能する一対のローラアーム７ａ，７ｂを回動自在に保持している（図１０参照）。ローラアーム７ａには、ディスク搬送ローラとして一対のゴムローラ６ａ，６ｂが回動自在に設けられている。ローラアーム７ｂには、ディスク搬送ローラとして一対のゴムローラ６ｃ，６ｄが固定されている。ゴムローラ６ａは、ローラギア６ｅと一体的に設けられている。ゴムローラ６ｂは、ローラギア６ｆと一体的に設けられている。
【００３１】
また、ローラアーム７ａには、ギア８ａ〜８ｃで構成されるギア列８が設けられている（図１５参照）。ギア８ｃは、図３に示すギア１０ａ〜１０ｅで構成されるギア列１０のうちのギア１０ａと噛み合っている。ギア１０ｅは、駆動源の一例であるモータ９が備えるウォームギア９ａと噛み合っている。従って、モータ９の駆動力は、ウォームギア９ａ及びギア列１０のギア１０ｅ−１０ｄ−１０ｃ−１０ｂ及びギア１０ａを介してギア列８に伝達されるようになっている。
【００３２】
また、ギア１０ｆはギア１０ｄの下側歯車と噛み合っているため、モータ９の駆動力が同時に伝達されるようになっている。このギア１０ｆと同軸にピニオン１０が一体的に形成されている。ピニオン１０ｇは、後述するスライドカム部材１６に設けられたラック３０と噛み合い可能に構成されているが、ディスク２００が挿入されていない初期状態では、ピニオン１０ｇはラック３０と噛み合っていない状態にある。
【００３３】
また、ギア１０ｃは、クラッチプレート１１に回動自在に軸支されている。クラッチプレート１１は、上下方向（厚み方向ともいう）を回動軸として回動可能に設けられている。このクラッチプレート１１の回動は、後述するように、スライドカム部材１６が矢印Ａ２方向に摺動することにより行われる。そして、クラッチプレート１１の回動により、ギア１０ｃが移動してギア１０ｂとの噛み合いが切り離され、駆動力の伝達はギア１０ｆ及び同軸のピニオン１０ｇにのみ伝達されるようになっている。ローラベース５、ギア列８、モータ９、及びギア列１０は、筐体１０１内に配置されるメカシャーシ１２に、必要に応じて回動自在又は摺動可能に保持されている。
【００３４】
また、図３に示すように、筐体１０１の内部には、ディスク２００を載置するターンテーブル１３と、光ピックアップ１４及びこれを駆動する機構を有するトラバースメカニズム（以下、トラバースという）１５が配置されている。ターンテーブル１３は、ディスク２００を回転させる回転力を発生させるスピンドルモータ（図示せず）と一体的に構成されている。トラバース１５は、上下方向に回動可能に構成されるとともに、メカシャーシ１２に一定の弾性をもってフローティング支持されている。トラバース１５の上下方向への回動により、再生可能位置に搬送されたディスク２００をターンテーブル１３上に装着することができる。
【００３５】
また、図４に示すように、メカシャーシ１２の右側には、スライドカム部材１６が矢印Ａ１又はＡ２方向に摺動自在に設けられている。メカシャーシ１２の左側には、作動部材の一例であるスライドカム部材１８が矢印Ａ１又はＡ２方向に摺動自在に設けられている。スライドカム部材１６とスライドカム部材１８とは、メカシャーシ１２の下部に回動自在に支持されたリンクアーム１７（図２参照）により連結され、リンクアーム１７の回動により相互に逆方向に摺動するように構成されている。
【００３６】
また、メカシャーシ１２には、トラバース１５を支持する中間シャーシ１９が、ピン１９ａ，１９ｂにより軸支されることにより回動自在に設けられている。中間シャーシ１９には、スライドカム部材１６，１８に形成された昇降カム１６ａ，１８ａ（図２参照）と係合するピン１９ｃ，１９ｄが設けられている。スライドカム部材１６，１８が相互に逆方向に摺動することによって、ピン１９ｃ，１９ｄが昇降カム１６ａ，１８ａに沿って移動することで昇降し、中間シャーシ１９がピン１９ａ，１９ｂを回動軸として回動する。
【００３７】
トラバース１５の前部（ディスク挿入口１０１ａ側）は、中間シャーシ１９の前方部分に、フローティングゴム２０ａ，２０ｂを介して左右それぞれ１ヶ所固定されている。トラバース１５の後部は、フローティングゴム２０ｃ，２０ｄを介してメカシャーシ１２にフローティング支持されている。中間シャーシ１９がピン１９ａ，１９ｂを回動軸として回動することにより、トラバース１５がフローティングゴム２０ｄ，２０ｃ側を回動軸として回動する。このトラバース１５の回動動作に伴って、ターンテーブル１３が昇降する。
【００３８】
ターンテーブル１３の上方には、トラバース１５の上部を覆うようにアッパーベース２２が配置されている。アッパーベース２２のターンテーブル１３と対向する位置には、開口部２２ａが設けられている。アッパーベース２２には、開口部２２ａを挟んで対向するクランパリフタ２３ａ，２３ｂが、互いに近づく又は離れる方向に摺動可能に設けられている。また、ターンテーブル１３の上方には、ディスク２００Ｄをターンテーブル１３上にクランプするためのクランパ２１が設けられている。
【００３９】
クランパ２１は、一対のクランパリフタ２３ａ，２３ｂが互いに近づいて位置するとき、クランパリフタ２３ａ，２３ｂのそれぞれの端部に支持される。このとき、クランパ２１は、ターンテーブル１３上に載置されたディスク２００と非接触の状態にある。この状態から一対のクランパリフタ２３ａ，２３ｂが互いに離れる方向に移動されると、クランパ２１は、開口部２２ａを通じてターンテーブル１３に近づくように移動する。
【００４０】
クランパ２１には、鉄製のヨーク２１ａが設けられている。ターンテーブル１３上にディスク２００が載置された状態で、鉄製のヨーク２１ａがターンテーブル１３に設けられたマグネットの磁力により引っ張られることにより、ディスク２００がクランパ２１とターンテーブル１３との間に挟み込まれる。これにより、ターンテーブル１３上にディスク２００が装着され、再生可能なクランプ状態となる。また、このクランプ状態から、一対のクランパリフタ２３ａ，２３ｂが互いに近づく方向に移動されると、当該移動により一対のクランパリフタ２３ａ，２３ｂに押圧されたクランパ２１は、磁力に抗してターンテーブル１３から離れるように移動する。これにより、クランプ状態が解除される。
【００４１】
アッパーベース２２の下面には、ディスク２００が再生可能位置に向かうようにセンタリングを行うセンタリング部材２４が摺動自在に設けられている。また、アッパーベース２２の下面には、再生可能位置に搬送されるディスク２００に当接して押圧されることにより回動するトリガレバー２５が、回動自在に設けられている（図１３及び図１４参照）。また、アッパーベース２２の下面には、筐体１０１内に挿入されたディスク２００をターンテーブル１３とクランパ２１との間で安定して保持するためのガイドレバー２６が、回動自在に設けられている。アッパーベース２２は、メカシャーシ１２に固定されている。メカシャーシ１２は、筐体１０１に固定されている。
【００４２】
また、メカシャーシ１２には、検出スイッチ２７ａ〜２７ｃが実装された基板２７が取り付けられている（図３参照）。検出スイッチ２７ａは、ディスク挿入口１０１ａを通じて挿入されたディスク２００を検出するスイッチである。検出スイッチ２７ａは、図１５に示すように、ローラアーム７ｂに設けられたディスク検出レバー２９により作動される。検出スイッチ２７ｂは、ディスク２００の排出時にディスク搬送動作の終了を検出するスイッチである。検出スイッチ２７ｂは、ディスク２００の挿入及び排出時に回動するローラアーム７ｂの下面により作動される。検出スイッチ２７ｃは、ディスク装着検出部の一例であり、ディスク２００が再生可能位置に搬送されターンテーブル１３上に装着されているか否かを検出するスイッチである。検出スイッチ２７ｃは、スライドカム部材１８によって作動される。基板２７は、ローラベース５に取り付けられたローラアーム７ｂと対向する位置に設けられている。
【００４３】
また、ローラベース５には、図１５、図１６Ａ、及び図１６Ｂに示すように、リンクアーム２８ａ，２８ｂが回動自在に設けられている。リンクアーム２８ａ，２８ｂは、ローラアーム７ａ，７ｂと係合し、ローラアーム７ａ，７ｂを互いに同期して回動させるように構成されている。ローラアーム７ａは、回動軸７ａ−１を中心として矢印Ａ５及びＡ７方向に回動可能に設けられている。このローラアーム７ａは、ねじりコイルばね７ａ−２により、矢印Ａ７方向に付勢されている。また、ローラアーム７ｂは、回動軸７ｂ−１を中心として矢印Ａ６及びＡ８方向に回動可能に設けられている。このローラアーム７ｂは、ねじりコイルばね７ｂ−２により、矢印Ａ８方向に付勢されている。
【００４４】
なお、本実施形態においては、ギア列１０、ギア列８、ゴムローラ６ａ〜６ｄ、ローラギア６ｅ，６ｆ、ローラアーム７ａ，７ｂ、及びリンクアーム２８ａ，２８ｂにより、ディスク２００を再生可能位置に搬送するディスク搬送機構が構成されている。また、本実施形態においては、ギア１０ｄ〜１０ｆ，ピニオン１０ｇ、スライドカム部材１６、リンクアーム１７、スライドカム部材１８、中間シャーシ１９、トラバース１５、フローティングゴム２０ａ〜２０ｄ、クランパ２１、アッパーベース２２、及びクランパリフタ２３ａ，２３ｂにより、再生可能位置に搬送されたディスク２００を再生可能なクランプ状態にするためにターンテーブル１３上に装着するディスク装着機構が構成されている。また、本実施形態においては、クラッチプレート１１と、これを駆動するスライドカム部材１６、トリガレバー２５により、駆動源で発生した駆動力がディスク搬送機構又はディスク装着機構のいずれか一方のみに伝達されるように駆動力の伝達経路を切り換える伝達経路切換機構が構成されている。ここで、各々の機構の駆動に関連する共通的な構成部品として、駆動源であるモータ９やウォームギア９ａがあり、ギア列１０のように一部が複数の機構の駆動に供されるものもある。なお、本発明のディスク搬送機構、ディスク装着機構、及び伝達経路切換機構が前記構成に限定されるものではないことは、言うまでもない。
【００４５】
次に、図３及び図４を用いて、ディスクドライブユニット１００の構成を更に詳細に説明する。図４は、図３に示す全体構成の中で、筐体１０１、ローラベース５に関連する部品、及びアッパーベース２２に関連する部品を除いた各部品を、メカシャーシ１２に取り付けた状態を示す上面図である。
【００４６】
図４に示すように、ターンテーブル１３と光ピックアップ１４とは、トラバース１５上でディスクドライブユニット１００のほぼ中央に配置されている。トラバース１５の前部及び両側部を囲むように略Ｕ字状の中間シャーシ１９が配置されている。中間シャーシ１９の右側には、スライドカム部材１６が配置されている。中間シャーシ１９の左側には、スライドカム部材１８が配置されている。スライドカム部材１６とスライドカム部材１８とは、ディスク２００の搬送方向と同じ前後方向（矢印Ａ１及びＡ２方向）に摺動自在に配置されている。ディスク２００が搬送されていない初期状態では、メカシャーシ１２とスライドカム部材１６との間に張設されたバネ１６ｊにより、スライドカム部材１６は矢印Ａ１方向に付勢されている。リンクアーム１７を介してスライドカム部材１６と接続されるスライドカム部材１８は、矢印Ａ２方向に付勢されている。中間シャーシ１９の前部の両端部に設けられたピン１９ｃ，１９ｄは、スライドカム部材１６，１８に形成された昇降カム１６ａ，１８ａ（図３参照）に摺動可能に係合している。中間シャーシ１９の後部の両端部に設けられたピン１９ａ，１９ｂは、メカシャーシ１２に形成された軸受部１２ａ，１２ｂに回動自在に保持されている。この構成により、中間シャーシ１９は、スライドカム部材１６，１８が相互に逆方向に摺動することによって、ピン１９ａ，１９ｂを回動軸として回動し、中間シャーシ１９の前部が昇降する。
【００４７】
ここで、スライドカム部材１６，１８の相互に逆方向への摺動は、スライドカム部材１６のラック３０とピニオン１０ｇとが噛み合った状態で、モータ９の駆動力がウォームギア９ａ，ギア１０ｅ，１０ｄ，１０ｆを介してピニオン１０ｇに伝達されることにより行われる。ピニオン１０ｇは、ターンテーブル１３上の再生可能位置へ搬送されるディスク２００に押圧されてトリガレバー２５が回動し、当該トリガレバー２５に押圧されてスライドカム部材１６が矢印Ａ２方向に若干摺動することによって、ラック３０と噛み合う。
【００４８】
すなわち、モータ９の駆動によってディスク２００が再生可能位置まで搬送されると、トリガレバー２５の作用とモータ９の駆動力の伝達切換によって、スライドカム部材１６，１８が相互に逆方向に摺動する。これにより、中間シャーシ１９及びトラバース１５が上昇し、ターンテーブル１３上にディスク２００が装着され、ディスク２００が再生可能なクランプ状態となる。
【００４９】
また、スライドカム部材１８には、図３及び図４に示すように、ディスク挿入口１０１ａと反対の奥側の部分にキックアーム３１が設けられている。キックアーム３１は、回動軸３１ａを中心としてスライドカム部材１８に対して回動可能に設けられている。
【００５０】
次に、図５〜図９を用いて、蓋体２の開閉動作に関連する部品の構成について説明する。図５は、蓋体２の開閉動作に関連する部品の構成を一部透過して示す上面図であり、図６は、その斜視図である。図７は、スライドカム部材１８とキックアーム３１の構成を示す斜視図である。図８Ａ及び図８Ｂは、蓋体２の開閉動作に関連する部品の構成を一部透過して示す側面図である。図８Ａは、蓋体２が閉蓋位置に位置する状態を示し、図８Ｂは、蓋体２が開蓋位置に位置する状態を示している。図９は、ディスクドライブユニット１００のディスク挿入口１０１ａと蓋体２との位置関係を示す正面図である。
【００５１】
スライドカム部材１８には、前述した昇降カム１８ａの他に、検出スイッチ２７ｃに当接する突出部１８ｂと、クランパリフタ２３ｂを移動させるためのカム１８ｃと、前述したキックアーム３１の回動を規制するストッパ１８ｄとが形成されている。キックアーム３１の一端部には、スライドカム部材１８のストッパ１８ｄに当接可能なカム部３１ｂが形成されている。カム部３１ｂは、図５に示すように、キックアーム３１の本体部分よりも外側（筐体１０１の側壁側）に突出するように形成されている。キックアーム３１の他端部には、弾性変形可能なバネ片３１ｃが形成されている。バネ片３１ｃは、スライドカム部材１８に設けられた係合部１８ｅに係合可能に形成されている。キックアーム３１は、通常、バネ片３１ｃの先端部が係合部１８ｅに当接することにより回動軸３１ａを中心として矢印Ｃ１方向に付勢され、カム部３１ｂのカム上面３１ｂ−１がスライドカム部材１８のストッパ１８ｄの下面に当接した状態で保持されている。この状態において、矢印Ｃ２方向に一定の回動力がキックアーム３１に付与されたとき、キックアーム３１は、バネ片３１ｃによる付勢力に抗して回動軸３１ａを中心として矢印Ｃ２方向に回動する。これにより、カム部３１ｂのカム上面３１ｂ−１とストッパ１８ｄの下面との間に隙間が形成される。
【００５２】
また、筐体１０１の一方の側壁の外面には軸受部（図示せず）が設けられ、当該軸受部に蓋体アーム２ｂの回動軸２ｄが回動自在に支持されている。蓋体アーム２ｂの端部は、蓋体２の一方の側部に取り付けられている。同様に、筐体１０１の他方の側壁の外面には軸受部（図示せず）が設けられ、当該軸受部に蓋体アーム２ｃの回動軸２ｄが回動自在に支持されている。蓋体アーム２ｃの端部は、蓋体２の他方の側部に取り付けられている。一対の蓋体アーム２ｂ，２ｃが回動軸２ｄを中心として回動することにより、蓋体２は略上下方向（矢印Ｂ１及びＢ２方向）に回動する。
【００５３】
また、蓋体アーム２ｂは、回動軸２ｄよりも蓋体２と反対の奥側に延在する延長部２ｅを有している。当該延長部２ｅには、筐体１０１の一方の側壁に形成された開口部１０１ｂを貫通してスライドカム部材１８のカム部３１ｂのカム下面３１ｂ−２と係合可能な係合部２ｆが設けられている。係合部２ｆは、蓋体アーム２ｂが回動軸２ｄを中心として回動するとき、開口部１０１ｂ内を略上下方向に移動する。すなわち、蓋体２が閉蓋位置２Ａから開蓋位置２Ｂに移動するとき、係合部２ｆは上昇し、蓋体２が開蓋位置２Ｂから閉蓋位置２Ａに移動するとき、係合部２ｆは下降する。図８Ｂに示すように、係合部２ｆが上昇しているとき、スライドカム部材１８のカム部３１ｂのカム下面３１ｂ−２と係合可能になっている。
【００５４】
また、蓋体アーム２ｂには、トグルばね４を収容する凹部２ｇと、トグルばね４の端部４ｂが係合する切欠部２ｈとが形成されている。また、筐体１０１の一方の側壁には、トグルばね４の端部４ａが係合する係合孔１０１ｃが形成されている。
【００５５】
トグルばね４は、端部４ａが筐体１０１の係合孔１０１ｃに係合し、端部４ｂが蓋体アーム２ｂの切欠部２ｈと係合するように取り付けられている。これにより、トグルばね４は、蓋体アーム２ｂが回動軸２ｄを中心として回動することにより、端部４ａを支点とし、端部４ｂを作用点として回動する。
【００５６】
また、トグルばね４は、図８Ａに示すように、作用点である端部４ｂが蓋体アーム２ｂの回動軸２ｄと端部４ａとを通る直線Ｌ１よりも上方に位置するとき、蓋体アーム２ｂを矢印Ｂ１方向に付勢する。このトグルばね４の付勢力により、蓋体２が閉蓋位置２Ａで保持される。また、トグルばね４は、図８Ｂに示すように、作用点である端部４ｂが直線Ｌ１よりも下方に位置するとき、蓋体アーム２ｂを矢印Ｂ２方向に付勢する。このトグルばね４の付勢力により、蓋体２が開蓋位置２Ｂで保持される。すなわち、トグルばね４は、蓋体２が閉蓋位置２Ａ又は開蓋位置２Ｂのいずれかに位置する状態で、その状態を保持する保持機構として機能する。
【００５７】
蓋体２の閉蓋位置２Ａから開蓋位置２Ｂへの移動は、蓋体２の上部を、トグルばね４の矢印Ｂ１方向の付勢力に抗して、手指により矢印Ｂ２方向に押圧することにより行うことができる。当該押圧により、作用点である端部５０ｂが直線Ｌ１より下方に移動すると、トグルばね４の付勢力が作用する方向が、矢印Ｂ１方向から矢印Ｂ２方向に反転する。これにより、蓋体２は、図８Ｂに示すように開蓋位置２Ｂで保持される。
【００５８】
また、蓋体アーム２ｂの下方には、図８Ａ及び図８Ｂに示すように、蓋開閉検出部の一例である蓋開閉検出スイッチ３２が設けられている。蓋開閉検出スイッチ３２は、外装ケース１の底壁１ｃに形成された保持部１ｄ上に設けられている。蓋開閉スイッチ３２は、蓋体アーム２ｂに当接可能な操作レバー３２ａを備えている。蓋開閉スイッチ３２は、操作レバー３２ａが蓋体アーム２ｂに当接したときオンされ、操作レバー３２ａが蓋体アーム２ｂに当接しないときオフされる。蓋体２の開閉状態は、この蓋開閉検出スイッチ３２のオン・オフに基づいて、検出することができる。
【００５９】
また、蓋体２が開蓋位置２Ｂに位置するとき、図９に示すように、蓋体２の上表面は、ディスク挿入口１０１ａの下側に位置し、ディスク２００をディスク挿入口１０１ａに挿入する際のガイドとして使用できるようになっている。ディスク挿入口１０１ａは、図９に示すように、緩やかに凹状に湾曲するガイド面を有している。また、前述したように、ディスク挿入口１０１ａの近傍には、ローラベース５のガイド部５ａと上ガイド５ｂとが設けられている。ローラベース５のガイド部５ａと上ガイド５ｂとは、ディスク挿入口１０１ａと同様に、緩やかに凹状に湾曲したガイド面を有している。ディスク２００は、ディスク挿入口１０１ａのほぼ中央部、及びガイド部５ａと上ガイド５ａとの間のほぼ中央部を通るように、防塵カバー３のスリット３ｂの周囲部分にガイドされながら、ディスクドライブユニット１００の内部へ搬送される。
【００６０】
次に、図１０〜図１２を用いて、筐体１０１内に挿入されたディスク２００を再生可能位置まで搬送するディスク搬送動作について説明する。図１０〜図１２は、ディスク２００の搬送状態を示す上面図である。
【００６１】
図１０は、筐体１０１内にディスク２００を挿入した直後の状態を示している。このとき、ディスク２００は、右側の一対のゴムローラ６ａ，６ｂ及び左側の一対のゴムローラ６ｃ，６ｄに当接している。また、このとき、ローラアーム７ｂに設けられたディスク検出レバー２９がディスク２００に押圧されて回動することにより、検出スイッチ２７ａが作動し、ディスク挿入口１０１ａを通じてディスク２００が挿入されたことを検出する。検出スイッチ２７ａが作動すると、モータ９が駆動を開始する。モータ９の駆動力は、ギア列１０及びギア列８を介して、ゴムローラ６ａ，６ｂに伝達される。これにより、ゴムローラ６ａ，６ｂが矢印Ａ３方向に回動し、ゴムローラ６ｂの回転駆動力及び摩擦力と、当該ゴムローラ６ｂとディスク２００を挟んで対向する回転しないゴムローラ６ｄの摩擦力とによって、ディスク２００がゴムローラ６ｄ（より詳細にはディスク２００との当接部）を回動中心として矢印Ａ４方向に回動する。この矢印Ａ４方向の回動により、ディスク２００は、矢印Ａ１方向に搬送される。
【００６２】
図１０に示す状態から、ディスク２００が矢印Ａ１方向に搬送されると、当該ディスク２００によってゴムローラ６ｂとゴムローラ６ｄとの間が押し広げられる。これにより、図１６Ａ及び図１６Ｂに示すねじりコイルばね７ａ−２，７ｂ−２の付勢力に抗して、ローラアーム７ａが矢印Ａ５方向に回動し、ローラアーム７ｂが矢印Ａ６方向に回動する。すなわち、一対のローラアーム７ａ，７ｂは、互いに遠ざかる方向（開く方向）に回動する。このローラアーム７ａ，７ｂの回動により、ゴムローラ６ａ，６ｃが、一旦、ディスク２００の周縁部から離れる。その後、ディスク２００が更に矢印Ａ１方向に搬送され、ディスク２００の左右最大径であるディスク２００の中心部がゴムローラ６ｂ，６ｄ間を通り過ぎると、図１６Ａ及び図１６Ｂに示すねじりコイルばね７ａ−２，７ｂ−２の付勢力により、ローラアーム７ａが矢印Ａ７方向に回動し、ローラアーム７ｂが矢印Ａ８方向に回動する。すなわち、一対のローラアーム７ａ，７ｂは、互いに近づく方向（閉じる方向）に回動する。これにより、ゴムローラ６ａ，６ｃは、再び、ディスク２００の周縁部と当接することとなり、図１１に示す状態となる。
【００６３】
図１１は、ゴムローラ６ａ〜６ｄの全てがディスク２００と当接した状態を示している。この状態から更にディスク２００が矢印Ａ１方向に搬送されることにより、図１２に示すディスク２００が再生可能位置まで搬送された状態となる。ディスク２００は、筐体１０１内に挿入された直後のディスク位置２００ａ（図１０参照）から、再生可能なディスク位置２００ｃ（図１２参照）まで搬送される過程で、図１１に示すディスク位置２００ｂを通過する。このディスク位置２００ｂは、ディスク２００の回転力が、ゴムローラ６ｂ，６ｄから伝達されるのに代えてゴムローラ６ａ，６ｃから伝達されるように切り換えられる位置である。すなわち、このディスク位置２００ｂからディスク位置２００ｃまでは、ディスク２００は、ゴムローラ６ａの回転駆動力によって、ゴムローラ６ｃの回動中心として矢印Ａ４方向に回動する。このゴムローラ６ｃを回動中心とする矢印Ａ４方向の回動により、ディスク２００は、更に矢印Ａ１方向に搬送され、ディスク２００が図１２に示すディスク位置２００ｃまで搬送される。この位置でディスク２００の搬送動作は終了する。
【００６４】
ディスク２００が図１２に示す位置、すなわちターンテーブル１３に対向するディスク再生可能位置まで搬送されると、トリガレバー２５によってディスク２００の搬送完了位置、すなわち前述のディスク位置２００ｃが検出される。この図１２に示すディスク位置２００ｃにおいて、トリガレバー２５の作用により、モータ９による駆動力の伝達が、ディスク２００の搬送駆動からスライドカム部材１６，１８の駆動に切り換えられ、ディスク装着のクランプ動作が行われるが、そのトリガレバー２５による切換の状態を示すのが図１３及び図１４である。
【００６５】
次に、図１３及び図１４を用いて、ディスク搬送動作からディスク装着動作への切り換え時におけるガイドレバー２６、センタリング部材２４、トリガレバー２５、及びスライドカム部材１６の動作について説明する。図１３及び図１４は、ディスク搬送動作時におけるガイドレバー２６、センタリング部材２４、トリガレバー２５、及びスライドカム部材１６の位置関係を示す上面図である。なお、これらの図においては、便宜上、一部を透過図で示している。
【００６６】
ディスク２００がディスク挿入口１０１ａを通じて挿入され矢印Ａ１方向に搬送されると、まず、ディスク２００の先端部の近傍がガイドレバー２６の位置決め用ガイド２６ｂに当接して、ディスク２００の厚み方向の高さ位置が位置決めされる。この状態で更にディスク２００が矢印Ａ１方向に搬送されると、ディスク２００が回動軸２６ａを中心としてガイドレバー２６を回動させる。その後、ディスク２００は、センタリング部材２４の位置決め当接部２４ａ，２４ｂに当接し、当該センタリング部材２４によって左右方向の位置を位置決めされる（すなわち、センタリングされる）。この状態で更にディスク２００が矢印Ａ１方向に搬送されると、ディスク２００がセンタリング部材２４を矢印Ａ１方向に移動させる。このセンタリング部材２４の移動により、センタリング部材２４に設けられたガイドカム２４ｅに回動軸部２５ｃが係合するトリガレバー２５は、回動軸部２５ｃがガイドカム２４ｅの第１の直線部２４ｅ−１から傾斜カム部２４ｅ−２、第２の直線部２４ｅ−３へとガイドされ、傾斜カム部２４ｅ−２にガイドされる際にその全体がスライドカム部材１６に近づく方向に移動する。なお、トリガレバー２５の回動軸部２５ｃは、矢印Ａ１及びＡ２方向に移動しないように設けられている。トリガレバー２５の前記移動により、トリガレバー２５のスライドカム押圧部２５ｂとスライドカム部材１６の第１係合部１６ｂとの係合が外れる。この状態で更にディスク２００が矢印Ａ１方向に搬送されると、ディスク２００がトリガレバー２５のディスク当接部２５ａに当接してトリガレバー２５を押圧する。これにより、トリガレバー２５が回動軸部２５ｃを中心として矢印Ａ１０方向に回動し、図１３に示す状態になる。このとき、トリガレバー２５のスライドカム押圧部２５ｂは、スライドカム部材１６の第２係合部１６ｃと当接する。この状態は、搬送されたディスク２００が再生可能位置に搬送されたことを、トリガレバー２５が検出した状態であるが、この時、スライドカム部材１６のラック３０とピニオン１０ｇは、まだ噛み合っていない状態にある。
【００６７】
図１３に示す状態から更にディスク２００が矢印Ａ１方向に搬送されると、ディスク２０によりディスク当接部２５ａを押圧されたトリガレバー２５が回動軸部２５ｃを中心として矢印Ａ１０方向に更に回動する。これにより、トリガレバー２５のスライドカム押圧部２５ｂがスライドカム部材１６の第２係合部１６ｃを押圧し、スライドカム部材１６が矢印Ａ２方向に若干摺動する。これにより、図１４に示すように、スライドカム部材１６のラック３０がピニオン１０ｇと噛み合い、スライドカム部材１６がモータ９の駆動力により直接駆動されるようになる。すなわち、ディスク搬送動作が完了し、ディスク装着動作が開始される。
【００６８】
なお、図１４に示す状態は、ディスク２００が再生可能位置まで搬送された状態である。この図１４に示す状態では、モータ９の駆動力がピニオン１０ｇに伝達され、ピニオン１０ｇが回転している。このため、ピニオン１０ｇと噛み合うラック３０が駆動され、スライドカム部材１６が更に矢印Ａ２方向に摺動する。この摺動に伴い、スライドカム部材１６にリンクアーム１７を介して連結されているスライドカム部材１８が、矢印Ａ１方向に摺動する。このスライドカム部材１６，１８の互いに逆方向の摺動により、前述したように、ディスク２００のターンテーブル１３上への装着動作が行われる。
【００６９】
なお、ディスク２００の搬送動作から装着動作への切換の過程で、トリガレバー２５のディスク当接部２５ａなどのディスク２００と当接している部分は、スライドカム部材１６，１８の移動に連動して、ディスク２００から離れるようにしている。これにより、ディスク２００の装着動作に支障が無いようになっている。
【００７０】
次に、ディスク排出動作について説明する。ディスク２００の排出を行うためには、まず、トラバース１５の下降動作を行って、再生可能な状態にあるディスク２００のクランプ状態を解除し、ディスク２００の搬送が可能な状態にする必要がある。ここでは、この説明を省略し、ディスク２００が、図１２に示すディスク位置２００ｃに位置し、クランプ状態を解除され、且つゴムローラ６ａ，６ｃによって挟持されているものとして説明を始める。
【００７１】
まず、モータ９がクランプ状態解除のため既に逆駆動されていることにより、ゴムローラ６ａ，６ｂがディスク２００の搬入時とは逆方向に回転する。これにより、ディスク２００がゴムローラ６ｃを回動中心として、ディスク２００を矢印Ａ４方向とは逆方向に回転する。この矢印Ａ４方向とは逆方向への回動により、ディスク２００は、矢印Ａ１方向とは逆方向（すなわち矢印Ａ２方向）に搬送される。
【００７２】
矢印Ａ１方向とは逆方向の搬送により、ディスク２００が図１１に示すディスク位置２００ｂに達すると、ディスク２００の回動力が、ゴムローラ６ａ，６ｃから伝達されるのに代えてゴムローラ６ｂ，６ｄから伝達されるように切り換えられる。これにより、ディスク２００は、ゴムローラ６ｄを回動中心として矢印Ａ４方向とは逆方向に回動する。この矢印Ａ４方向とは逆方向の回動により、ディスク２００は、更に矢印Ａ１方向とは逆方向に搬送される。この矢印Ａ１方向とは逆方向の搬送によりディスク２００が図１０に示すディスク位置２００ａまで搬送されたことを検出スイッチ２７ｂが検出すると、モータ９が駆動を停止する。これにより、ディスク２００の排出動作が完了する。
【００７３】
なお、図１０に示すディスク位置２００ａまで排出されたディスク２００は、ユーザの手指によって取り出しが可能となる。また、このとき、ディスク２００は、ゴムローラ６ａ〜６ｄによる挟持力及び摩擦力と、防塵カバー３の弾性力及び摩擦力とにより、ディスク挿入口１０１ａから筐体１０１の外部へ飛び出すことなく保持される。
【００７４】
次に、図１７Ａ〜図２０を用いて、ターンテーブル１３を昇降動作させる構成について説明する。
【００７５】
図１７Ａ及び図１７Ｂは、ターンテーブル１３が下降した状態（ディスク２００が挿入されていない待機状態）にあるときの中間シャーシ１９とスライドカム部材１６，１８との位置関係を示す斜視図である。図１８は、ターンテーブル１３が下降した状態にあるときのスライドカム部材１６，１８とリンクアーム１７との位置関係を示す上面図である。この状態では、スライドカム部材１６は、図３を用いて前述したようにバネ１６ｊにより矢印Ａ１方向に付勢されている。このスライドカム部材１６は、リンクアーム１７を介してスライドカム部材１８と連結されている。リンクアーム１７は、回動軸１７ａを中心として回動自在に設けられている。このため、スライドカム部材１８は、バネ１６ｊにより、スライドカム部材１６とは逆向きの矢印Ａ２方向に付勢されている。従って、スライドカム部材１８に接続されたキックアーム３１も、矢印Ａ２方向に付勢されている。これにより、キックアーム３１は、図４に示すように、蓋体２から最も近い位置に位置した状態で保持されている。
【００７６】
スライドカム部材１８には、図１８に示すように、検出スイッチ２７ｃと当接可能な突出部１８ｂが形成されている。突出部１８ｂは、ディスク２００が再生可能位置に搬送されて、スライドカム部材１８が矢印Ａ１方向に摺動した際、検出スイッチ２７ｃに当接し、当該検出スイッチ２７ｃを作動させるものである。
【００７７】
なお、図１７Ａ，図１７Ｂ、及び図１８に示す状態は、前述したように、ディスク２００が再生可能位置に搬送され、トリガレバー２５のスライドカム押圧部２５ｂによりスライドカム部材１６が押圧されてラック３０がピニオン１０ｇに噛み合い、スライドカム部材１６が矢印Ａ２方向に摺動を開始するまで継続される。スライドカム部材１６が矢印Ａ２方向に摺動すると共に、スライドカム部材１８が矢印Ａ１方向に摺動することにより、中間シャーシ１９の係合ピン１９ｃ，１９ｄが昇降カム１６ａ，１８ａに沿って移動する。これにより、中間シャーシ１９の前部が上昇してターンテーブル１３が上昇し、ディスク２００がターンテーブル１３とクランパ２１との間に挟持される。その後、前述したスライドカム部材１８の突出部１８ｂが検出スイッチ２７ｃに当接することにより、モータ９の駆動が停止される。これにより、ディスク２００の装着完了状態となり、図１９Ａ，図１９Ｂ及び図２０に示す状態となる。
【００７８】
図１９Ａ及び図１９Ｂは、ターンテーブル１３が上昇した状態（ディスク２００の装着完了状態）にあるときの中間シャーシ１０とスライドカム部材１６，１８との位置関係を示す斜視図である。図２０は、ターンテーブルが上昇した状態にあるときのスライドカム部材１６とスライドカム部材１８とリンクアーム１７の位置関係を示す上面図である。なお、このとき、ラック３０とピニオン１０ｇとは、噛み合ったままである。この状態において、キックアーム３１は、蓋体２から最も離れた位置に位置している。また、この状態は、ディスク２００の排出のために、モータ９が逆駆動され、ピニオン１０ｇを介してラック３０を駆動し、スライドカム部材１６がディスク２００の装着時とは逆方向である矢印Ａ１方向に摺動を開始するまで維持される。
【００７９】
次に、図２１Ａ〜図２３Ｃを用いて、ディスク装着動作及びディスク排出動作に連動して行われる蓋体２の開閉動作について説明する。
【００８０】
図２１Ａは、蓋体２が閉蓋位置２Ａに位置するときの蓋体２に関連する部品の位置関係を示している。図２１Ａに示す状態において、ディスク２００は、ターンテーブル１３上に装着されていない状態にある。蓋体２は、トグルばね４の矢印Ｂ１方向の付勢力によって閉蓋位置２Ａで保持されている。蓋開閉検出スイッチ３２は、操作レバー３２ａと蓋体アーム２ｂとが接触せず、オフ状態にある。スライドカム部材１８は、最も蓋体２に近い位置に移動した初期状態にある。キックアーム３１のカム部３１ｂは、蓋体アーム２ｂの係合部２ｆより前方（蓋体２側）に位置している。
【００８１】
図２１Ａに示す状態で、ユーザが蓋体２の上表面を矢印Ｂ２方向に押圧すると、蓋体アーム２ｂが回動軸２ｄを中心として矢印Ｂ２方向に回動する。この蓋体アーム２ｂの回動により、当該蓋体アーム２ｂと係合するトグルばね４の端部４ｂが下方に移動する。
【００８２】
図２１Ｂは、トグルばね４の端部４ｂが直線Ｌ１上に位置するまで蓋体アーム２ｂが矢印Ｂ２方向に回動した状態を示している。蓋体アーム２ｂの矢印Ｂ２方向の回動により、トグルばね４の端部４ｂが直線Ｌ１を通過するタイミングで、トグルばね４が蓋体アーム２ｂを付勢する方向が矢印Ｂ１方向から矢印Ｂ２方向に反転する。このトグルばね４の矢印Ｂ２方向の付勢力により、蓋体２が開蓋位置２Ｂで保持される。なお、図２１Ｂに示す状態から図２１Ｃに示す状態までの蓋体２の移動はトグルばね４の付勢力により行うことができるので、ユーザは、図２１Ａに示す状態から図２１Ｂに示す状態まで蓋体２を押圧するだけで、蓋体２を開蓋位置２Ｂに移動させることができる。また、図２１Ｃに示す状態から図２１Ａに示す状態まで蓋体２を移動させる場合も同様である。すなわち、図２１Ｂに示す状態から図２１Ａに示す状態までの蓋体２の移動はトグルばね４の付勢力により行うことができるので、ユーザは、図２１Ｃに示す状態から図２１Ｂに示す状態まで蓋体２を押圧するだけで、蓋体２を閉蓋位置２Ａに移動させることができる。
【００８３】
また、前述した蓋体アーム２ｂの矢印Ｂ２方向の回動により、蓋体アーム２ｂの係合部２ｆは、図２１Ａに示す位置から図２１Ｃに示す位置まで上昇する。なお、このとき、係合部２ｆは、キックアーム３１のカム部３１ｂと係合しない。
【００８４】
また、蓋体アーム２ｂが図２１Ｂに示す位置から図２１Ｃに示す位置まで回動するとき、蓋体アーム２ｂが操作レバー３２ａに当接して、蓋開閉検出スイッチ３２がオンされる。このとき、蓋体２は開蓋位置２Ｂに位置し、ディスク挿入口１０１ａにディスク２００を挿入することが可能になる。なお、図２１Ａに示す状態から図２１Ｃに示す状態までユーザが蓋体２を押圧する間、スライドカム部材１８やキックアーム３１などのディスクドライブユニット１００の内部に配置された各部品は、ディスク２００がターンテーブル１３上に装着されていないため、何ら変化（移動）しない。
【００８５】
次に、図２２Ａ〜図２２Ｃを用いて、蓋体２が開蓋位置２Ｂに位置する状態でディスク２００を挿入したときの蓋体２に関連する部品の動作について説明する。
【００８６】
図２２Ａは、ディスク２００をディスク挿入口１０１ａに挿入した直後における蓋体２に関連する部品の位置関係を示している。図２２Ａに示すディスクドライブユニット１００に対するディスク２００の状態は、前述した図１０と同じ状態である。蓋体２が開蓋位置２Ｂに位置する状態では、前述したように、蓋開閉検出スイッチ３２がオン状態になっている。この状態において、ディスク２００が筐体１０１内に挿入されたことを検出スイッチ２７ａが検出すると、モータ９が駆動し、前述したディスク搬送動作が開始される。これにより、図１０〜図１４を用いて説明したように、ディスク２００は、ディスク搬送機構によりターンテーブル１３に対向する位置まで搬送され、ディスク装着機構によりターンテーブル１３上に装着されることとなる。
【００８７】
ディスク２００がターンテーブル１３上に装着される際、スライドカム部材１８は、前述したように矢印Ａ１方向に摺動する。このスライドカム部材１８の矢印Ａ１方向への摺動により、スライドカム部材１８に設けられたキックアーム３１も同時に矢印Ａ１方向に摺動する。これにより、図２２Ａに示すように上昇している蓋体アーム２ｂの係合部２ｆに、キックアーム３１のカム部３１ｂのカム下面３１ｂ−２が係合する。このとき、カム部３１ｂのカム上面３１ｂ−１がスライドカム部材１８のストッパ１８ｄに当接して移動を規制されているため、係合部２ｆは、カム下面３１ｂ−２の傾斜面によって下方に押し下げられることになる。係合部２ｆが下方に押し下げられることによって、蓋体アーム２ｂは、トグルばね４による矢印Ｂ２方向の付勢力に抗して矢印Ｂ１方向（閉蓋方向）に回動する。
【００８８】
図２２Ｂは、トグルばね４の端部４ｂが直線Ｌ１上に位置するまで蓋体アーム２ｂが矢印Ｂ１方向に回動した状態を示している。蓋体アーム２ｂの矢印Ｂ１方向の回動により、トグルばね４の端部４ｂが直線Ｌ１を通過するタイミングで、トグルばね４が蓋体アーム２ｂを付勢する方向が矢印Ｂ２方向から矢印Ｂ１方向に反転する。このトグルばね４の矢印Ｂ１方向の付勢力により、蓋体２は閉蓋位置２Ａへ移動する。
【００８９】
前述したディスク装着動作において、スライドカム部材１８は、キックアーム３１のカム部３１ｂのカム下面３１ｂ−２が係合部２ｆを完全に押し下げ、蓋体２が閉蓋位置２Ａに移動した後も、矢印Ａ１方向の移動を継続する。その後、図２２Ｃに示すように、スライドカム部材１８が蓋体２から最も離れた位置まで移動したとき、ディスク装着動作が完了し、スライドカム部材１８の移動が停止する。この図２２Ｃに示す状態では、係合部２ｆとカム部のカム下面３１ｂ−２とが係合していないので、トグルばね４の付勢力により、係合部２ｆの上方向の移動が規制される。従って、蓋体２は閉蓋位置２Ａで保持される。
【００９０】
次に、図２３Ａ〜図２２Ｃを用いて、ターンテーブル１３上に装着されているディスク２００を排出するときの蓋体２に関連する部品の動作について説明する。なお、ディスク２００がターンテーブル１３上に装着されているとき、スライドカム部材１８は、図２２Ｃに示すように、蓋体２から最も離れた位置に位置している。
【００９１】
図２３Ａは、ターンテーブル１３上に装着されているディスク２００を排出するために、ユーザが蓋体２を閉蓋位置２Ａから開蓋位置２Ｂまで押圧した状態を示している。蓋体２が閉蓋位置２Ａから開蓋位置２Ｂまで押圧されることにより、蓋体アーム２ｂが操作レバー３２ａと当接して、蓋開閉検出スイッチ３２がオンされる。蓋開閉検出スイッチ３２は、ディスク２００の排出のためのイジェクトスイッチとしての機能を有する。すなわち、蓋開閉スイッチ３２がオンされることにより、ディスクドライブユニット１００のモータ９が駆動され、ディスク２００の排出動作が行われるようになっている。このように設定されているのは、以下の理由による。
【００９２】
すなわち、ユーザが蓋体２を閉蓋位置２Ａから開蓋位置２Ｂに移動させるのは、ディスク２００を取り出したい場合、又は新たなディスク２００を挿入したい場合のいずれかである。いずれの場合も、ディスク２００がターンテーブル１３上に装着され、スライドカム部材１８が蓋体２から最も離れた位置に移動している状態においては、ディスクドライブユニット１００内のディスク２００を排出（イジェクト）する必要がある。このため、ユーザが蓋体２を閉蓋位置２Ａから開蓋位置２Ｂに移動させたときに自動的にディスク２００の排出動作が行われるようにすることが好ましいと考えられる。そこで、蓋体２の開蓋位置２Ｂへの移動に連動して蓋開閉検出スイッチ３２をオン状態にし、自動的に、ディスク２００の排出動作が開始されるようにしている。
【００９３】
ディスク２００の排出動作が開始されると、前述したように、スライドカム部材１８が矢印Ａ２方向に摺動する。これにより、スライドカム部材１８に設けられたキックアーム３１も矢印Ａ２方向に移動する。このキックアーム３１の移動に伴い、カム部３１ｂのカム上面３１ｂ−１が、蓋体アーム２ｂの係合部２ｆに係合する。
【００９４】
図２３Ｂは、キックアーム３１のカム部３１ｂのカム上面３１ｂ−１が、蓋体アーム２ｂの係合部２ｆに係合した直後の状態を示している。図２３Ｂに示す状態において、蓋体アーム２ｂの係合部２ｆは、トグルばね４の付勢力により付勢され、更に押し上げられることが実質的にできない位置で保持されている。これに対して、キックアーム３１は、バネ片３１ｃの付勢力により回動軸３１ａを中心として矢印Ｃ１方向に付勢されているものの、当該バネ片３１ｃの付勢力以上の回動力を付加することにより、矢印Ｃ２方向へは回動可能な状態にある。従って、ディスク２００の排出動作時において、スライドカム部材１８が矢印Ａ２方向へ移動して、キックアーム３１のカム部３１ｂのカム上面３１ｂ−１が係合部２ｆと係合したとき、当該キックアーム３１が矢印Ｃ２方向に回動する。このとき、蓋体アーム２ｂは何ら回動動作等をすることなく、スライドカム部材１８は矢印Ａ２方向へ移動する。
【００９５】
ターンテーブル１３の下降動作が完了し、ディスク排出動作を行う主体がディスク装着機構からディスク搬送機構に切り換わったとき、スライドカム部材１８は移動を停止する。図２３Ｃは、当該スライドカム部材１８が移動を停止し且つディスク２００がディスク挿入口１０１ａに排出された排出動作完了状態を示している。この排出動作完了状態において、ディスク２００は、図１０に示す状態にある。すなわち、ディスク２００は、ゴムローラ６ａ〜６ｄに挟持されると共に、防塵カバー３を構成する弾性シート３ａに支持された状態にある。ユーザは、ディスク２００の中央に設けられた孔に手指を挿入することにより、ディスク２００を容易に抜き取ることができる。なお、このとき、蓋体２は、トグルばね４による矢印Ｂ２方向の付勢力により、開蓋位置２Ｂで保持されている。この蓋体２を閉蓋位置２Ａに移動するには、蓋体２の下部を押し上げることにより行うことができる。
【００９６】
次に、キックアーム３１の機能に着目して説明する。
【００９７】
図２２Ａ〜図２２Ｃを用いて前述したように、ディスク２００がディスクドライブユニット１００内に挿入されターンテーブル１３上に装着されるとき、スライドカム部材１８が矢印Ａ１方向に移動する。このスライドカム部材１８の移動の過程で、キックアーム３１のカム部３１ｂのカム下面３１ｂ−２が蓋体アーム２ｂの係合部２ｆに係合して、蓋体アーム２ｂが回動する。この蓋体アーム２ｂの回動により、蓋体２が閉蓋位置２Ａに移動する。一方、図２３Ａ〜図２３Ｃを用いて前述したように、ターンテーブル１３上に装着されたディスク２００を排出するとき、スライドカム部材１８が矢印Ａ２方向に移動する。このスライドカム部材１８の移動の過程で、キックアーム３１のカム部３１ｂのカム上面３１ｂ−１が蓋体アーム２ｂの係合部２ｆに係合し、キックアーム３１が矢印Ｃ２方向に回動する一方で、蓋体アーム２ｂは何ら回動動作等を行わない。従って、蓋体２は、開蓋位置２Ｂで保持される。
【００９８】
すなわち、キックアーム３１は、蓋体２が同じ開蓋位置２Ｂに位置する場合であっても、蓋体２を閉蓋位置２Ａに移動させるように機能する場合と、蓋体２を閉蓋位置２Ａに移動させないように機能する場合とがある。言い換えれば、キックアーム３１は、スライドカム部材１８が矢印Ａ１方向に移動するときだけ蓋体２を閉蓋位置２Ａに移動させ、スライドカム部材１８が矢印Ａ２に移動するときには蓋体が開蓋位置２Ｂに位置状態を保持するという、いわゆる１ウェイクラッチとしての機能を有している。
【００９９】
次に、図２４を用いて、本発明の実施形態にかかるディスク装置の制御関係の構成について説明する。図２４は、本実施形態にかかるディスク装置の制御関係の構成を示すブロック図である。
【０１００】
図２４において、本実施形態にかかるディスク装置は、制御部３３と、検出スイッチ群３４と、搬入・搬出モータ制御回路３５と、ディスク再生機構３６とを備えている。
【０１０１】
制御部３３は、検出スイッチ群３４の検出情報に基づいて、搬入・搬出モータ制御回路３５とディスク再生機構３６とを制御する。検出スイッチ群３４は、検出スイッチＳＷ１〜ＳＷ４を備えている。検出スイッチＳＷ１は、蓋開閉検出スイッチ３２に対応している。検出スイッチＳＷ２は、ディスク挿入口１０１ａを通じて挿入されたディスク２００を検出する検出スイッチ２７ａに対応している。検出スイッチＳＷ３は、ディスク２００の排出時にディスク搬送動作の終了を検出する検出スイッチ２７ｂに対応している。検出スイッチＳＷ４は、ディスク２００が再生可能位置に搬送されターンテーブル１３上に装着されたか否かを検出する検出スイッチ２７ｃに対応している。搬入・搬出モータ制御回路３５は、モータ９の駆動を制御する制御回路である。ディスク再生機構３６は、スピンドルモータや、トラバース駆動部、光学的な検出制御部、信号処理部等のディスク２００の再生に必要な装置を含むものである。ここでは、ディスク再生機構３６の詳細は省略する。
【０１０２】
次に、図２５を用いて、本実施形態にかかるディスク装置の制御フローを説明する。図２５は、本実施形態にかかるディスク装置の制御フローを示すフローチャートである。なお、下記制御フローは、制御部３３の制御の下で行われる。
【０１０３】
まず、ステップＳ１では、蓋体２が閉蓋位置２Ａに位置するか否かを判断する。具体的には、検出スイッチＳＷ１（蓋開閉検出スイッチ３２）がオンされたか否かを判断する。蓋体２が開蓋位置２Ｂに移送されて検出スイッチＳＷ１がオンされると、ステップＳ２に進む。
【０１０４】
ステップＳ２では、ディスク２００がターンテーブル１３上に装着されている状態か否かを判断する。具体的には、検出スイッチＳＷ４（検出スイッチ２７ｃ）がオンされた後、検出スイッチＳＷ３（検出スイッチ２７ｂ）がオンされたか否かを判断する。ディスク２００がターンテーブル１３上に装着されていない状態（図２１Ｃに示す状態）であるとき、ステップＳ３に進む。一方、ディスク２００がターンテーブル１３上に装着されている状態（図２３Ａに示す状態）であるとき、ステップＳ９に進む。なお、ディスク２００がターンテーブル１３上に装着されている状態で、ユーザが蓋体２を開蓋位置２Ｂに移動させるのは、ディスク２００をディスクドライブユニット１００から排出したいときと考えられる。
【０１０５】
ステップＳ３では、ディス挿入口１０１ａにディスク２００が挿入されたか否かを判断する。具体的には、検出スイッチＳＷ２（検出スイッチ２７ａ）がオンされたか否かを判断する。ディスク挿入口１０１ａにディスク２００が挿入されていない場合、ステップＳ４に進む。一方、ディスク挿入口１０１aにディスク２００が挿入された場合、ステップＳ５に進む。
【０１０６】
ステップＳ４では、蓋体２が開蓋位置２Ｂに位置する状態が継続されているか否かを判断する。具体的には、検出スイッチＳＷ１がオフであるか否かを判断する。蓋体２の開蓋位置２Ｂに位置する状態が継続されている場合、ステップＳ３に戻る。一方、ディスク２００が挿入されることなく、蓋体２が閉蓋位置２Ａに移動された場合（図２１Ａに示す状態）、本制御フローを終了する。
【０１０７】
一方、ステップＳ５では、ディスク挿入口１０１ａから挿入されたディスク２００を再生可能位置に搬送するように、ディスク搬送機構が制御される（ディスク搬入指令）。その後、ステップＳ６に進む。
【０１０８】
ステップＳ６では、モータ９が正転駆動され、ディスク搬入動作及びディスク装着動作が行われる。その後、ステップＳ７に進む。なお、このディスク装着動作の過程で、図２２Ａ〜図２２Ｃに示すように、蓋体２が閉蓋位置２Ａへ移動する。ディスク２００がターンテーブル１３上に装着され、蓋体２が閉蓋位置２Ａに到達すると、検出スイッチＳＷ４（検出スイッチ２７ｃ）がオンされる（図２２Ｃに示す状態）。
【０１０９】
ステップＳ７では、ディスク２００がターンテーブル１３上に装着されたか否かを判断する。具体的には、検出スイッチＳＷ４（検出スイッチ２７ｃ）がオンされたか否かを判断する。ディスク２００がターンテーブル上に装着されていないとき、ステップＳ６に戻る。一方、ディスク２００がターンテーブル１３上に装着されたとき、ステップＳ８に進む。
【０１１０】
ステップＳ８では、モータ９の駆動を停止（ディスク装着完了）させ、本制御フローを終了する。
【０１１１】
ステップＳ９では、蓋体２が開蓋位置２Ｂに位置すると共に、ディスク２００がターンテーブル１３上に装着されている状態であるとき、ディスク再生機構３６によりディスク２００が再生中であるか否かを判断する。ディスク２００が再生中であるとき、ステップＳ１０に進む。ディスク２００が再生中でないとき、ステップＳ１１に進む。
【０１１２】
ステップＳ１０では、ディスク２００の再生を停止させるように、ディスク再生機構３６が制御される（ディスク再生停止指令）。その後、ステップＳ１２に進む。
【０１１３】
ステップＳ１１では、ディスク２００をディスク挿入口１０１ａから排出するように、ディスク搬送機構が制御される（ディスク排出指令）。その後、ステップＳ１２に進む。
【０１１４】
ステップＳ１２では、モータ９を反転駆動させる。これにより、ディスク排出動作が開始される。その後、ステップＳ１３に進む。
【０１１５】
ステップＳ１３では、ディスク排出動作が完了した（図２３Ｃに示す状態）か否かを判断する。具体的には、検出スイッチＳＷ３（検出スイッチ２７ｂ）がオンされたか否かを判断する。ディスク排出動作が完了したと判断すると、ステップＳ１４に進む。
【０１１６】
ステップＳ１４では、モータ９の駆動を停止（ディスク排出完了）させ、本制御フローを終了する。なお、このとき、ディスク２００は、ゴムローラ６ａ〜６ｄと防塵カバー３を構成する弾性シート３ａとに保持された状態となっている。
【０１１７】
上述したように、蓋体２が開閉位置２Ｂに移動されたとき、ディスク２００がターンテーブル１３上に装着されているか否かによって、その後の制御フローが異なる。ターンテーブル１３上にディスク２００が装着されていない場合には、ディスク挿入口１０１ａからディスク２００を挿入すると、ディスク装着動作に連動して、蓋体２が開蓋位置２Ｂから閉蓋位置２Ａに自動的に移動されるようになっている。一方、ディスク２００がターンテーブル１３上に装着されている場合には、蓋体２の閉蓋位置２Ａから開蓋位置２Ｂへの移動に連動して、ディスク排出動作が自動的に行われるようになっている。
【０１１８】
以上、本実施形態のディスク装置によれば、ディスク挿入口１０１ａを外側から塞ぐ蓋体２を備えているので、外装ケース１内に異物が侵入することを防止することができる。また、ディスク挿入口１０１ａにディスク２００が挿入されたとき、スライドカム部材１８の移動力を利用して蓋体２を閉蓋位置２Ａに自動的に移動させるようにしているので、ディスク２００がターンテーブル１３上に装着されているときに蓋体２が開蓋位置で放置されるようなことを防ぐことができる。これにより、外装ケース１内に異物が侵入することを一層防止することができると共に、ディスク２００の誤挿入を防止することができる。また、スライドカム部材１８の移動力を利用して蓋体２を閉蓋位置２Ａに移動させるので、蓋体２の開閉のために別途駆動源を設ける必要がない。
【０１１９】
また、本実施形態のディスク装置は、閉蓋位置２Ａに移動された蓋体２を当該閉蓋位置２Ａで保持すると共に、開蓋位置２Ｂに移動された蓋体２を当該開蓋位置２Ｂで保持する保持機構と、蓋体２の開閉動作に関連して保持機構による保持状態を切り換える蓋開閉切換機構とを有している。ここで、本実施形態において、保持機構は、筐体１０１と蓋体アーム２ｂと係合するように設けられたトグルばね４で構成され、蓋体２の閉蓋位置２Ａと開蓋位置２Ｂの両状態を、そのトグルばね４の付勢力で保持している。また、本実施形態において、蓋開閉切換機構は、蓋体アーム２ｂとキックアーム３１ｂとで構成されている。しかしながら、本発明の保持機構及び蓋開閉切換機構はこれらの構成に限定されるものではない。また、本実施形態にかかるディスク装置は、蓋体２が開蓋位置２Ｂに位置する状態において、ディスク装着機構がディスク装着動作を行うとき、当該動作に連動して、蓋開閉切換機構により、前記保持機構が蓋体２を開蓋位置２Ｂで保持する状態から、蓋体２を閉蓋位置２Ａで保持する状態に切り換えるように構成されている。これにより、蓋体２を開蓋位置２Ｂに移動させてディスク２００をディスク挿入口１０１ａに挿入するだけの簡単な操作で、ディスク２００のターンテーブル１３上への装着及び蓋体２の閉蓋位置２Ａへの移動を一連の動作として行うことができる。
【０１２０】
また、本実施形態のディスク装置によれば、ディスク２００がターンテーブル１３上に装着された状態で蓋体２が手動操作により開蓋位置２Ｂに移動されたとき、ディスク排出動作が自動的に行われるようにしている。これにより、ディスクがターンテーブル１３上に装着された状態で、別のディスクをディスク挿入口１０１ａに挿入しようとして蓋体２を開蓋位置２Ｂに移動させた場合、ターンテーブル１３上に装着されたディスクがディスク挿入口１０１ａから排出されることになる。従って、ディスクの誤挿入を一層防止することができる。
【０１２１】
なお、本発明は、前記実施形態に限定されるものではなく、その他種々の態様で実施できる。例えば、前記では、ディスク２００をターンテーブル１３とクランパ２１とで挟持して再生可能なクランプ状態とするとき、ターンテーブル１３を有するトラバース１５をクランパ２１に向けて回動させるようにしたが、本発明はこれに限定されない。ターンテーブル１３とクランパ２１とを相対的に移動させることにより、ディスク２００を再生可能なクランプ状態にするように構成されていればよい。例えば、クランパ２１をターンテーブル１３に向けて移動させるように構成してもよい。
【０１２２】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【０１２３】
２０１１年２月４日に出願された日本国特許出願Ｎｏ．２０１１−０２２３６９号の明細書、図面、及び特許請求の範囲の開示内容は、全体として参照されて本明細書の中に取り入れられるものである。
【産業上の利用可能性】
【０１２４】
本発明にかかるディスク装置は、異物の侵入を防止すると共に、ディスクの誤挿入を防止することができるので、特に、ＣＤやＤＶＤ、ＢＤ等のディスク状の記録媒体を、トレイを用いずに装置内の再生可能位置に搬送するように構成されたスロットイン方式のディスク装置に有用である。
【図１Ａ】
2012104938.tif 000003
【図１Ｂ】
2012104938.tif 000004
【図２Ａ】
2012104938.tif 000005
【図２Ｂ】
2012104938.tif 000006
【図３】
2012104938.tif 000007
【図４】
2012104938.tif 000008
【図５】
2012104938.tif 000009
【図６】
2012104938.tif 000010
【図７】
2012104938.tif 000011
【図８Ａ】
2012104938.tif 000012
【図８Ｂ】
2012104938.tif 000013
【図９】
2012104938.tif 000014
【図１０】
2012104938.tif 000015
【図１１】
2012104938.tif 000016
【図１２】
2012104938.tif 000017
【図１３】
2012104938.tif 000018
【図１４】
2012104938.tif 000019
【図１５】
2012104938.tif 000020
【図１６Ａ】
2012104938.tif 000021
【図１６Ｂ】
2012104938.tif 000022
【図１７Ａ】
2012104938.tif 000023
【図１７Ｂ】
2012104938.tif 000024
【図１８】
2012104938.tif 000025
【図１９Ａ】
2012104938.tif 000026
【図１９Ｂ】
2012104938.tif 000027
【図２０】
2012104938.tif 000028
【図２１Ａ】
2012104938.tif 000029
【図２１Ｂ】
2012104938.tif 000030
【図２１Ｃ】
2012104938.tif 000031
【図２２Ａ】
2012104938.tif 000032
【図２２Ｂ】
2012104938.tif 000033
【図２２Ｃ】
2012104938.tif 000034
【図２３Ａ】
2012104938.tif 000035
【図２３Ｂ】
2012104938.tif 000036
【図２３Ｃ】
2012104938.tif 000037
【図２４】
2012104938.tif 000038
【図２５】
2012104938.tif 000039
【手続補正書】
【提出日】平成24年5月31日(2012.5.31)
【手続補正１】
【補正対象書類名】明細書
【補正対象項目名】全文
【補正方法】変更
【補正の内容】
【発明の詳細な説明】
【技術分野】
【０００１】
本発明は、ＣＤやＤＶＤ、ＢＤ等のディスク状の記録媒体（以下、ディスクという）を、トレイを用いずに装置内の再生可能位置に搬送するように構成されたスロットイン方式のディスク装置に関する。
【背景技術】
【０００２】
従来、この種のディスク装置は、通常、筐体の正面に設けられたディスク挿入口を通じてディスクを筐体内へ直接挿入するように構成されている。ディスク挿入口を通じて挿入されたディスクは、ローラなどを備えるディスク搬送機構により再生可能位置に搬送される。
【０００３】
この種のディスク装置においては、ディスク挿入口が外部に露出しているため、当該ディスク挿入口を通じて塵などの異物が筐体内に侵入するおそれがある。異物が筐体内に侵入した場合、動作不良や故障が生ずるおそれがある。この異物の侵入を防ぐ構成としては、例えば、特許文献１（特開２０１０−５５６７０号公報）に開示されたものがある。
【０００４】
特許文献１には、筐体に設けられたディスク挿入口をディスクが通過した後、筐体の上壁の一部を構成する蓋体を回動させてディスク挿入口を閉じるように構成されたディスク装置が開示されている。また、特許文献１には、外装ケース内に前記ディスク装置を収容し、当該外装ケースの正面に、ディスクを挿通可能なスリットが設けられた略防塵材を取り付けたものが開示されている。
【０００５】
また、筐体内への異物の侵入を防ぐ構成としては、特許文献２（特開２０００−２６８５４９号公報）に開示されたものもある。特許文献２の装置は、ディスクを筐体内に直接挿入するものではなく、ディスクをカートリッジに収納にした状態で筐体内に挿入するものである。特許文献２の装置は、カートリッジの挿入口を開閉可能な防塵蓋と、防塵蓋の開閉を検知するスイッチとを備え、防塵蓋が挿入口を閉蓋するときのみディスクに対する記録・再生を許可するように構成されている。
【先行技術文献】
【特許文献】
【０００６】
【特許文献１】特開２０１０−５５６７０号公報
【特許文献２】特開２０００−２６８５４９号公報
【発明の概要】
【発明が解決しようとする課題】
【０００７】
通常、スロットイン方式のディスク装置においては、ディスクが筐体内に存在しているか否かが、表示部に表示されるなどしない限り外見上では分からない。このため、ディスクが筐体内に存在する状態で別のディスクが筐体内へ挿入されるという誤挿入が行われるおそれがある。誤挿入が行われると、ディスクに傷が付くなどの問題が発生し得る。
【０００８】
特許文献１のディスク装置では、ディスクが筐体内に存在するとき、蓋体がディスク挿入口を塞ぐので、誤挿入が発生しないようにも思われる。しかしながら、特許文献１のディスク装置は、特許文献１の図４に示されるように、通常は、外装ケースに収容されて使用されるものであるため、蓋体がディスク挿入口を塞いでいるか否かを、外装ケースの外側から認識することができない。このため、ディスクが筐体内に存在する状態で別のディスクが外装ケースの開口部に挿入されるという誤挿入が行われるおそれがある。
【０００９】
また、特許文献２の装置は、防塵蓋が挿入口を開蓋しているとき、ディスクに対する記録・再生を禁止するように構成されているが、防塵蓋が開蓋されたまま放置されることがあり得る。また、特許文献２の装置は、カートリッジが筐体内に存在する状態で別のカートリッジが筐体内に挿入されることを防止するようには構成されていない。
【００１０】
従って、本発明の目的は、前記問題を解決することにあって、異物の侵入を防止すると共に、ディスクの誤挿入を防止することができるディスク装置を提供することにある。
【課題を解決するための手段】
【００１１】
前記目的を達成するために、本発明は以下のように構成する。
本発明によれば、ディスク挿入口から挿入されたディスクを再生可能位置に搬送するディスク搬送動作を行うディスク搬送機構と、
前記再生可能位置に搬送されたディスクを再生可能なクランプ状態にするためにターンテーブル上に装着するディスク装着動作を行うディスク装着機構と、
前記ディスク挿入口を外側から塞ぐ閉蓋位置と前記ディスク挿入口を外部に露出させる開蓋位置とに、手動操作により移動可能に設けられた蓋体と、
前記閉蓋位置に移動された前記蓋体を当該閉蓋位置で保持すると共に、前記開蓋位置に移動された前記蓋体を当該開蓋位置で保持する保持機構と、
前記蓋体の開閉動作に連動して前記保持機構による保持状態を切り換える蓋開閉切換機構と、
を備えるスロットイン方式のディスク装置であって、
前記ディスク装着機構は、前記ディスク装着動作に連動して移動する作動部材を備え、
前記蓋開閉切換機構は、前記ディスク挿入口に前記ディスクが挿入されたとき、前記ディスク装着動作時における前記作動部材の移動力を利用して前記蓋体が前記保持機構により前記開蓋位置で保持された状態を解除し、前記蓋体を前記開蓋位置から前記閉蓋位置に自動的に移動させるように構成された、ディスク装置を提供する。
【発明の効果】
【００１２】
本発明のディスク装置によれば、ディスク挿入口を外側から塞ぐ蓋体を備えているので、装置内に異物が侵入することを防止することができる。また、ディスク挿入口にディスクが挿入されたとき、作動部材の移動力を利用して蓋体を閉蓋位置に自動的に移動させるようにしているので、ディスクがターンテーブル上に存在するときに蓋体が開蓋位置で放置されるようなことを防ぐことができる。これにより、装置内に異物が侵入することを一層防止することができると共に、ディスクの誤挿入を防止することができる。また、ディスク装着機構の作動部材の移動力を利用して蓋体を閉蓋位置に移動させるので、蓋体の開閉のために別途駆動源を設ける必要がないと共に、別途閉蓋操作する必要もない。
【図面の簡単な説明】
【００１３】
本発明のこれらと他の目的と特徴は、添付された図面についての好ましい実施形態に関連した次の記述から明らかになる。この図面においては、
【図１Ａ】図１Ａは、本発明の実施形態にかかるディスク装置の斜視図であって、蓋体が閉蓋位置に位置する状態を示す図であり、
【図１Ｂ】図１Ｂは、本発明の実施形態にかかるディスク装置の斜視図であって、蓋体が開蓋位置に位置する状態を示す図であり、
【図２Ａ】図２Ａは、本発明の実施形態にかかるディスク装置に内蔵されたディスクドライブユニットと蓋体との取付状態を示す斜視図であって、蓋体が閉蓋位置に位置する状態を示す図であり、
【図２Ｂ】図２Ｂは、本発明の実施形態にかかるディスク装置に内蔵されたディスクドライブユニットと蓋体との取付状態を示す斜視図であって、蓋体が開蓋位置に位置する状態を示す図であり、
【図３】図３は、本発明の実施形態にかかるディスク装置に内蔵されたディスクドライブユニットを構成する部品を一部ユニット化して示す分解斜視図であり、
【図４】図４は、図３に示すディスクドライブユニットの内部構造を示す平面図であり、
【図５】図５は、蓋体の開閉動作に関連する部品の構成を一部透過して示す上面図であり、
【図６】図６は、蓋体の開閉動作に関連する部品の構成を一部透過して示す斜視図であり、
【図７】図７は、スライドカム部材とキックアームの構成を示す斜視図であり、
【図８Ａ】図８Ａは、蓋体の開閉動作に関連する部品の構成を一部透過して示す側面図であって、蓋体が閉蓋位置に位置する状態を示す図であり、
【図８Ｂ】図８Ｂは、蓋体の開閉動作に関連する部品の構成を一部透過して示す側面図であって、蓋体が開蓋位置に位置する状態を示す図であり、
【図９】図９は、蓋体が閉蓋位置に位置するときのディスクドライブユニットのディスク挿入口と蓋体との位置関係を示す正面図であり、
【図１０】図１０は、図２に示すディスクドライブユニットの内部にディスクが挿入された直後の状態を示す上面図であり、
【図１１】図１１は、図２に示すディスクドライブユニットの内部にディスクを搬送する途中の状態を示す上面図であり、
【図１２】図１２は、図２に示すディスクドライブユニットの内部の再生可能位置にディスクが搬送された状態を示す上面図であり、
【図１３】図１３は、ディスクの搬入時におけるガイドレバー、センタリング部材、トリガレバー、及びスライドカム部材の位置関係を示す上面図であり、
【図１４】図１４は、図１３に示す状態から更にディスクの搬入が進行した状態を示す上面図であり、
【図１５】図１５は、一対のローラアームと一対のリンクアームとの取付状態を示す上面図であり、
【図１６Ａ】図１６Ａは、一対のローラアームが互いに近づく方向に回動した状態を示す下面図であり、
【図１６Ｂ】図１６Ｂは、一対のローラアームが互いに遠ざかる方向に回動した状態を示す下面図であり、
【図１７Ａ】図１７Ａは、ターンテーブルが下降した状態にあるときの中間シャーシと一対のスライドカム部材との位置関係を示す斜視図であり、
【図１７Ｂ】図１７Ｂは、ターンテーブルが下降した状態にあるときの中間シャーシと一対のスライドカム部材との位置関係を示す、図１７Ａとは別の角度から見た斜視図であり、
【図１８】図１８は、ターンテーブルが下降した状態にあるときのスライドカム部材とリンクアームとの位置関係を示す上面図であり、
【図１９Ａ】図１９Ａは、ターンテーブルが上昇した状態にあるときの中間シャーシと一対のスライドカム部材との位置関係を示す斜視図であり、
【図１９Ｂ】図１９Ｂは、ターンテーブルが上昇した状態にあるときの中間シャーシと一対のスライドカム部材との位置関係を示す、図１９Ａとは別の角度から見た斜視図であり、
【図２０】図２０は、ターンテーブルが上昇した状態にあるときのスライドカム部材とリンクアームとの位置関係を示す上面図であり、
【図２１Ａ】図２１Ａは、ディスクがターンテーブル上に装着されておらず且つ蓋体が閉蓋位置に位置するときの蓋体に関連する部品の位置関係を示す説明図であり、
【図２１Ｂ】図２１Ｂは、ディスクがターンテーブル上に装着されておらず且つ蓋体が閉蓋位置から開蓋位置に移動する途中における蓋体に関連する部品の位置関係を示す説明図であり、
【図２１Ｃ】図２１Ｃは、ディスクがターンテーブル上に装着されておらず且つ蓋体の開蓋位置への移動が完了したときの蓋体に関連する部品の位置関係を示す説明図であり、
【図２２Ａ】図２２Ａは、蓋体が開蓋位置に位置する状態でディスクを挿入した直後における蓋体に関連する部品の位置関係を示す説明図であり、
【図２２Ｂ】図２２Ｂは、ディスク装着動作に連動して蓋体が開蓋位置から閉蓋位置に移動する途中における蓋体に関連する部品の位置関係を示す説明図であり、
【図２２Ｃ】図２２Ｃは、ディスク装着動作及び蓋体の閉蓋位置への移動が完了したときの蓋体に関連する部品の位置関係を示す説明図であり、
【図２３Ａ】図２３Ａは、ディスクがターンテーブル上に装着され且つ蓋体が開蓋位置に位置するときの蓋体に関連する部品の位置関係を示す説明図であり、
【図２３Ｂ】図２３Ｂは、ディスク排出動作の途中における蓋体に関連する部品の位置関係を示す説明図であり、
【図２３Ｃ】図２３Ｃは、ディスク排出動作の完了時における蓋体に関連する部品の位置関係を示す説明図であり、
【図２４】図２４は、本発明の実施形態にかかるディスク装置の制御関係の構成を示すブロック図であり、
【図２５】図２５は、本発明の実施形態にかかるディスク装置の制御フローを示すフローチャートである。
【発明を実施するための形態】
【００１４】
本発明の第１態様によれば、ディスク挿入口から挿入されたディスクを再生可能位置に搬送するディスク搬送動作を行うディスク搬送機構と、
前記再生可能位置に搬送されたディスクを再生可能なクランプ状態にするためにターンテーブル上に装着するディスク装着動作を行うディスク装着機構と、
前記ディスク挿入口を外側から塞ぐ閉蓋位置と前記ディスク挿入口を外部に露出させる開蓋位置とに、手動操作により移動可能に設けられた蓋体と、
前記閉蓋位置に移動された前記蓋体を当該閉蓋位置で保持すると共に、前記開蓋位置に移動された前記蓋体を当該開蓋位置で保持する保持機構と、
前記蓋体の開閉動作に連動して前記保持機構による保持状態を切り換える蓋開閉切換機構と、
を備えるスロットイン方式のディスク装置であって、
前記ディスク装着機構は、前記ディスク装着動作に連動して移動する作動部材を備え、
前記蓋開閉切換機構は、前記ディスク挿入口に前記ディスクが挿入されたとき、前記ディスク装着動作時における前記作動部材の移動力を利用して前記蓋体が前記保持機構により前記開蓋位置で保持された状態を解除し、前記蓋体を前記開蓋位置から前記閉蓋位置に自動的に移動させるように構成された、ディスク装置を提供する。
【００１５】
本発明の第２態様によれば、前記ディスクが前記ターンテーブル上に装着された状態で前記蓋体が手動操作により前記閉蓋位置から前記開蓋位置に移動されたとき、前記ディスク装着機構が前記ディスクのクランプ状態を解除すると共に前記ディスク搬送機構が前記クランプ状態を解除された前記ディスクを前記ディスク挿入口に搬出するディスク排出動作が自動的に行われるように構成された、第１態様に記載のディスク装置を提供する。
【００１６】
本発明の第３態様によれば、前記ディスク搬送機構及び前記ディスク装着機構を駆動する駆動力を発生する駆動源と、
前記駆動源を制御する制御部と、
前記ディスクが前記ターンテーブル上に装着されているか否かを検出するディスク装着検出部と、
前記蓋体の開閉状態を検知する蓋開閉検出部と、
をさらに備え、
前記制御部は、前記蓋体が前記閉蓋位置から前記開蓋位置に移動したことを前記蓋開閉検出部が検出すると共に、前記ディスクが前記ターンテーブル上に装着されていることを前記ディスク装着検出部が検出したとき、前記ディスク排出動作が行われるように前記駆動源を制御する、第２態様に記載のディスク装置を提供する。
【００１７】
本発明の第４態様によれば、前記蓋開閉切換機構は、前記ディスク排出動作時に前記作動部材が移動するとき、前記作動部材の移動力は前記保持機構に伝達されることなく、前記蓋体が前記開蓋位置で保持された状態を維持するように構成された、第２又は３態様に記載のディスク装置を提供する。
【００１８】
本発明の第５態様によれば、前記蓋開閉切換機構は、
前記ディスク装置の外装ケースの内部に配置された回動軸を中心として回動することにより、前記閉蓋位置と前記開蓋位置との間で前記蓋体を移動させるように構成された蓋体アームを備え、
前記蓋体アームは、前記ディスク装着動作時における前記作動部材の移動力を利用して回動することにより、前記蓋体が前記保持機構により前記開蓋位置で保持された状態を解除し、前記蓋体を前記開蓋位置から前記閉蓋位置に移動させるように構成された、第１態様に記載のディスク装置を提供する。
【００１９】
本発明の第６態様によれば、前記蓋開閉切換機構は、
前記作動部材に回動自在に設けられたキックアームと、
前記ディスク装置の外装ケースの内部に配置された回動軸を中心として回動することにより、前記閉蓋位置と前記開蓋位置との間で前記蓋体を移動させるように構成された蓋体アームと、を備え、
前記キックアームは、当該キックアームの回動軸から離れた位置にカム部を有し、
前記カム部は、前記作動部材に接触するように付勢され、
前記蓋体アームは、前記カム部と係合可能な係合部を有し、
前記ディスク装着動作時に前記作動部材と伴に前記キックアームが移動するとき、前記蓋体アームの係合部が前記キックアームのカム部に係合して前記蓋体アームが回動し、当該蓋体アームの回動により、前記蓋体が前記保持機構により前記開蓋位置で保持された状態が解除されて前記蓋体が前記閉蓋位置に移動する一方、前記ディスク排出動作時に前記作動部材と伴に前記キックアームが移動するとき、前記蓋体アームの係合部が前記キックアームのカム部に係合して前記蓋体アームが回動することなく前記キックアームが付勢力に抗して前記蓋体アームから離れる方向に回動し、前記蓋体が前記保持機構により前記開蓋位置で保持された状態を維持するように構成された、第２〜４態様のいずれか１つに記載のディスク装置を提供する。
【００２０】
本発明の第７態様によれば、前記保持機構は、前記蓋体アームを回動方向に付勢するバネ部材を備え、
前記バネ部材は、前記蓋体を前記開蓋位置から前記閉蓋位置に移動させるように前記蓋体アームが回動する途中で、当該蓋体アームを付勢する方向が反転するように構成された、第５又は６態様に記載のディスク装置を提供する。
【００２１】
以下、本発明の実施形態について、図面を参照しながら説明する。なお、以下の全ての図において、同一又は相当部分には同一符号を付し、重複する説明は省略する。
【００２２】
《実施形態》
以下、本発明の実施形態にかかるディスク装置について説明する。図１Ａ及び図１Ｂは、本発明の実施形態にかかるディスク装置の斜視図である。
【００２３】
図１Ａ及び図１Ｂにおいて、１は、本実施形態かかるディスク装置の外装ケースである。外装ケース１の前面壁１ａには、挿入されるディスク２００が通過可能な開口部１ｂが形成され、当該開口部１ｂを塞ぐように蓋体２が設けられている。蓋体２は、開口部１ｂを開閉することができるように、矢印Ｂ１及びＢ２方向（略上下方向）に移動可能に設けられている。図１Ａは、蓋体２が開口部１ｂを閉塞する閉蓋位置２Ａに位置する状態を示しており、図１Ｂは、蓋体２が開口部１ｂを開放する開蓋位置２Ｂに位置する状態を示している。
【００２４】
図１Ａに示すように、蓋体２が閉蓋位置２Ａに位置するとき、蓋体２の前表面は、前面壁１ａの前表面とほぼ面一となるように構成されている。また、図１Ｂに示すように、蓋体２が開蓋位置２Ｂに位置するとき、蓋体２よりも外装ケース１の内側に設けられたディスク挿入口１０１ａが外部に露出するように構成されている。蓋体２が開蓋位置２Ｂに位置するとき、蓋体２の上表面は、ディスク２００をディスク挿入口１０１ａへの導くガイドとして機能する。
【００２５】
また、蓋体２は、ユーザの手指（手動操作）により移動可能に構成されている。ユーザは、図１Ａに示すように閉蓋位置２Ａに位置する蓋体２を、手指により矢印Ｂ２方向に押圧することにより、図１Ｂに示す開蓋位置２Ｂに蓋体２を移動させることができる。また、ユーザは、図１Ｂに示すように開蓋位置２Ｂに位置する蓋体２を、手指により矢印Ｂ１方向に押し上げることにより、図１Ａに示す閉蓋位置２Ａに蓋体２を移動させることができる。蓋体２の前表面と上表面との角部には、ユーザが閉蓋位置２Ａから開蓋位置２Ｂへ蓋体２を押圧し易いように、手指により押圧操作される凹部２ａが形成されている。
【００２６】
次に、図２Ａ及び図２Ｂを用いて、外装ケース１に内蔵されたディスクドライブユニット１００と蓋体２との位置関係について説明する。図２Ａ及び図２Ｂは、ディスクドライブユニット１００と蓋体２との取付状態を示す斜視図である。図２Ａは、蓋体２が閉蓋位置２Ａに位置する状態を示し、図２Ｂは、蓋体２が開蓋位置２Ｂに位置する状態を示している。
【００２７】
図２Ａ及び図２Ｂに示すように、蓋体２の一方の側部には蓋体アーム２ｂが連結され、蓋体２の他方の側部には蓋体アーム２ｃが連結されている。蓋体アーム２ｂは、ディスクドライブユニット１００の筐体１０１の一方の側壁の外面に回動自在に取り付けられている。蓋体アーム２ｃは、筐体１０１の他方の側壁の外面に回動自在に取り付けられている。蓋体アーム２ｂには、バネ部材の一例であるトグルばね４が取り付けられている。トグルばね４は、蓋体２が閉蓋位置２Ａ又は開蓋位置２Ｂのいずれかの位置で保持されるように、蓋体アーム２ｂを付勢する。トグルばね４の構成については、後で詳しく説明する。
【００２８】
次に、図３及び図４を用いて、外装ケース１に内蔵されたディスクドライブユニット１００の構成について説明する。図３は、ディスクドライブユニット１００を構成する部品を一部ユニット化して示す分解斜視図である。図４は、ディスクドライブユニット１００の内部構造を示す上面図である。ディスクドライブユニット１００は、トレイを用いずにディスク２００を筐体１０１内の再生可能位置に搬入するように構成されたスロットイン方式の装置である。
【００２９】
図３に示すように、ディスクドライブユニット１００は、当該ユニットの外郭となる筐体１０１を備えている。筐体１０１の正面には、前述したディスク挿入口１０１ａが設けられている。ディスク挿入口１０１ａは、防塵カバー３により筐体１０１の内側から塞がれている。防塵カバー３は、フェルト等の弾性材シート３ａを備えている。弾性シート３ａのほぼ中央部には、ディスク２００が通過可能なスリット３ｂが形成されている。ディスク２００の先端部が防塵カバー３を弾性変形させながらスリット３ｂ及びディスク挿入口１０１ａを通じて筐体１０１内に挿入されることにより、筐体１０１内に配置された後述するディスク搬送機構が駆動し、ディスク２００が再生可能位置まで搬送される。
【００３０】
筐体１０１のディスク挿入口１０１ａの近傍には、ディスク２００の下側をガイドするローラベース５のガイド部５ａと、ディスク２００の上側をガイドする上ガイド５ｂとが設けられている。ローラベース５は、ディスク２００を筐体１０１の内部に搬送する、ガイド及び駆動力伝達部として機能する一対のローラアーム７ａ，７ｂを回動自在に保持している（図１０参照）。ローラアーム７ａには、ディスク搬送ローラとして一対のゴムローラ６ａ，６ｂが回動自在に設けられている。ローラアーム７ｂには、ディスク搬送ローラとして一対のゴムローラ６ｃ，６ｄが固定されている。ゴムローラ６ａは、ローラギア６ｅと一体的に設けられている。ゴムローラ６ｂは、ローラギア６ｆと一体的に設けられている。
【００３１】
また、ローラアーム７ａには、ギア８ａ〜８ｃで構成されるギア列８が設けられている（図１５参照）。ギア８ｃは、図３に示すギア１０ａ〜１０ｅで構成されるギア列１０のうちのギア１０ａと噛み合っている。ギア１０ｅは、駆動源の一例であるモータ９が備えるウォームギア９ａと噛み合っている。従って、モータ９の駆動力は、ウォームギア９ａ及びギア列１０のギア１０ｅ−１０ｄ−１０ｃ−１０ｂ及びギア１０ａを介してギア列８に伝達されるようになっている。
【００３２】
また、ギア１０ｆはギア１０ｄの下側歯車と噛み合っているため、モータ９の駆動力が同時に伝達されるようになっている。このギア１０ｆと同軸にピニオン１０が一体的に形成されている。ピニオン１０ｇは、後述するスライドカム部材１６に設けられたラック３０と噛み合い可能に構成されているが、ディスク２００が挿入されていない初期状態では、ピニオン１０ｇはラック３０と噛み合っていない状態にある。
【００３３】
また、ギア１０ｃは、クラッチプレート１１に回動自在に軸支されている。クラッチプレート１１は、上下方向（厚み方向ともいう）を回動軸として回動可能に設けられている。このクラッチプレート１１の回動は、後述するように、スライドカム部材１６が矢印Ａ２方向に摺動することにより行われる。そして、クラッチプレート１１の回動により、ギア１０ｃが移動してギア１０ｂとの噛み合いが切り離され、駆動力の伝達はギア１０ｆ及び同軸のピニオン１０ｇにのみ伝達されるようになっている。ローラベース５、ギア列８、モータ９、及びギア列１０は、筐体１０１内に配置されるメカシャーシ１２に、必要に応じて回動自在又は摺動可能に保持されている。
【００３４】
また、図３に示すように、筐体１０１の内部には、ディスク２００を載置するターンテーブル１３と、光ピックアップ１４及びこれを駆動する機構を有するトラバースメカニズム（以下、トラバースという）１５が配置されている。ターンテーブル１３は、ディスク２００を回転させる回転力を発生させるスピンドルモータ（図示せず）と一体的に構成されている。トラバース１５は、上下方向に回動可能に構成されるとともに、メカシャーシ１２に一定の弾性をもってフローティング支持されている。トラバース１５の上下方向への回動により、再生可能位置に搬送されたディスク２００をターンテーブル１３上に装着することができる。
【００３５】
また、図４に示すように、メカシャーシ１２の右側には、スライドカム部材１６が矢印Ａ１又はＡ２方向に摺動自在に設けられている。メカシャーシ１２の左側には、作動部材の一例であるスライドカム部材１８が矢印Ａ１又はＡ２方向に摺動自在に設けられている。スライドカム部材１６とスライドカム部材１８とは、メカシャーシ１２の下部に回動自在に支持されたリンクアーム１７（図２参照）により連結され、リンクアーム１７の回動により相互に逆方向に摺動するように構成されている。
【００３６】
また、メカシャーシ１２には、トラバース１５を支持する中間シャーシ１９が、ピン１９ａ，１９ｂにより軸支されることにより回動自在に設けられている。中間シャーシ１９には、スライドカム部材１６，１８に形成された昇降カム１６ａ，１８ａ（図２参照）と係合するピン１９ｃ，１９ｄが設けられている。スライドカム部材１６，１８が相互に逆方向に摺動することによって、ピン１９ｃ，１９ｄが昇降カム１６ａ，１８ａに沿って移動することで昇降し、中間シャーシ１９がピン１９ａ，１９ｂを回動軸として回動する。
【００３７】
トラバース１５の前部（ディスク挿入口１０１ａ側）は、中間シャーシ１９の前方部分に、フローティングゴム２０ａ，２０ｂを介して左右それぞれ１ヶ所固定されている。トラバース１５の後部は、フローティングゴム２０ｃ，２０ｄを介してメカシャーシ１２にフローティング支持されている。中間シャーシ１９がピン１９ａ，１９ｂを回動軸として回動することにより、トラバース１５がフローティングゴム２０ｄ，２０ｃ側を回動軸として回動する。このトラバース１５の回動動作に伴って、ターンテーブル１３が昇降する。
【００３８】
ターンテーブル１３の上方には、トラバース１５の上部を覆うようにアッパーベース２２が配置されている。アッパーベース２２のターンテーブル１３と対向する位置には、開口部２２ａが設けられている。アッパーベース２２には、開口部２２ａを挟んで対向するクランパリフタ２３ａ，２３ｂが、互いに近づく又は離れる方向に摺動可能に設けられている。また、ターンテーブル１３の上方には、ディスク２００Ｄをターンテーブル１３上にクランプするためのクランパ２１が設けられている。
【００３９】
クランパ２１は、一対のクランパリフタ２３ａ，２３ｂが互いに近づいて位置するとき、クランパリフタ２３ａ，２３ｂのそれぞれの端部に支持される。このとき、クランパ２１は、ターンテーブル１３上に載置されたディスク２００と非接触の状態にある。この状態から一対のクランパリフタ２３ａ，２３ｂが互いに離れる方向に移動されると、クランパ２１は、開口部２２ａを通じてターンテーブル１３に近づくように移動する。
【００４０】
クランパ２１には、鉄製のヨーク２１ａが設けられている。ターンテーブル１３上にディスク２００が載置された状態で、鉄製のヨーク２１ａがターンテーブル１３に設けられたマグネットの磁力により引っ張られることにより、ディスク２００がクランパ２１とターンテーブル１３との間に挟み込まれる。これにより、ターンテーブル１３上にディスク２００が装着され、再生可能なクランプ状態となる。また、このクランプ状態から、一対のクランパリフタ２３ａ，２３ｂが互いに近づく方向に移動されると、当該移動により一対のクランパリフタ２３ａ，２３ｂに押圧されたクランパ２１は、磁力に抗してターンテーブル１３から離れるように移動する。これにより、クランプ状態が解除される。
【００４１】
アッパーベース２２の下面には、ディスク２００が再生可能位置に向かうようにセンタリングを行うセンタリング部材２４が摺動自在に設けられている。また、アッパーベース２２の下面には、再生可能位置に搬送されるディスク２００に当接して押圧されることにより回動するトリガレバー２５が、回動自在に設けられている（図１３及び図１４参照）。また、アッパーベース２２の下面には、筐体１０１内に挿入されたディスク２００をターンテーブル１３とクランパ２１との間で安定して保持するためのガイドレバー２６が、回動自在に設けられている。アッパーベース２２は、メカシャーシ１２に固定されている。メカシャーシ１２は、筐体１０１に固定されている。
【００４２】
また、メカシャーシ１２には、検出スイッチ２７ａ〜２７ｃが実装された基板２７が取り付けられている（図３参照）。検出スイッチ２７ａは、ディスク挿入口１０１ａを通じて挿入されたディスク２００を検出するスイッチである。検出スイッチ２７ａは、図１５に示すように、ローラアーム７ｂに設けられたディスク検出レバー２９により作動される。検出スイッチ２７ｂは、ディスク２００の排出時にディスク搬送動作の終了を検出するスイッチである。検出スイッチ２７ｂは、ディスク２００の挿入及び排出時に回動するローラアーム７ｂの下面により作動される。検出スイッチ２７ｃは、ディスク装着検出部の一例であり、ディスク２００が再生可能位置に搬送されターンテーブル１３上に装着されているか否かを検出するスイッチである。検出スイッチ２７ｃは、スライドカム部材１８によって作動される。基板２７は、ローラベース５に取り付けられたローラアーム７ｂと対向する位置に設けられている。
【００４３】
また、ローラベース５には、図１５、図１６Ａ、及び図１６Ｂに示すように、リンクアーム２８ａ，２８ｂが回動自在に設けられている。リンクアーム２８ａ，２８ｂは、ローラアーム７ａ，７ｂと係合し、ローラアーム７ａ，７ｂを互いに同期して回動させるように構成されている。ローラアーム７ａは、回動軸７ａ−１を中心として矢印Ａ５及びＡ７方向に回動可能に設けられている。このローラアーム７ａは、ねじりコイルばね７ａ−２により、矢印Ａ７方向に付勢されている。また、ローラアーム７ｂは、回動軸７ｂ−１を中心として矢印Ａ６及びＡ８方向に回動可能に設けられている。このローラアーム７ｂは、ねじりコイルばね７ｂ−２により、矢印Ａ８方向に付勢されている。
【００４４】
なお、本実施形態においては、ギア列１０、ギア列８、ゴムローラ６ａ〜６ｄ、ローラギア６ｅ，６ｆ、ローラアーム７ａ，７ｂ、及びリンクアーム２８ａ，２８ｂにより、ディスク２００を再生可能位置に搬送するディスク搬送機構が構成されている。また、本実施形態においては、ギア１０ｄ〜１０ｆ，ピニオン１０ｇ、スライドカム部材１６、リンクアーム１７、スライドカム部材１８、中間シャーシ１９、トラバース１５、フローティングゴム２０ａ〜２０ｄ、クランパ２１、アッパーベース２２、及びクランパリフタ２３ａ，２３ｂにより、再生可能位置に搬送されたディスク２００を再生可能なクランプ状態にするためにターンテーブル１３上に装着するディスク装着機構が構成されている。また、本実施形態においては、クラッチプレート１１と、これを駆動するスライドカム部材１６、トリガレバー２５により、駆動源で発生した駆動力がディスク搬送機構又はディスク装着機構のいずれか一方のみに伝達されるように駆動力の伝達経路を切り換える伝達経路切換機構が構成されている。ここで、各々の機構の駆動に関連する共通的な構成部品として、駆動源であるモータ９やウォームギア９ａがあり、ギア列１０のように一部が複数の機構の駆動に供されるものもある。なお、本発明のディスク搬送機構、ディスク装着機構、及び伝達経路切換機構が前記構成に限定されるものではないことは、言うまでもない。
【００４５】
次に、図３及び図４を用いて、ディスクドライブユニット１００の構成を更に詳細に説明する。図４は、図３に示す全体構成の中で、筐体１０１、ローラベース５に関連する部品、及びアッパーベース２２に関連する部品を除いた各部品を、メカシャーシ１２に取り付けた状態を示す上面図である。
【００４６】
図４に示すように、ターンテーブル１３と光ピックアップ１４とは、トラバース１５上でディスクドライブユニット１００のほぼ中央に配置されている。トラバース１５の前部及び両側部を囲むように略Ｕ字状の中間シャーシ１９が配置されている。中間シャーシ１９の右側には、スライドカム部材１６が配置されている。中間シャーシ１９の左側には、スライドカム部材１８が配置されている。スライドカム部材１６とスライドカム部材１８とは、ディスク２００の搬送方向と同じ前後方向（矢印Ａ１及びＡ２方向）に摺動自在に配置されている。ディスク２００が搬送されていない初期状態では、メカシャーシ１２とスライドカム部材１６との間に張設されたバネ１６ｊにより、スライドカム部材１６は矢印Ａ１方向に付勢されている。リンクアーム１７を介してスライドカム部材１６と接続されるスライドカム部材１８は、矢印Ａ２方向に付勢されている。中間シャーシ１９の前部の両端部に設けられたピン１９ｃ，１９ｄは、スライドカム部材１６，１８に形成された昇降カム１６ａ，１８ａ（図３参照）に摺動可能に係合している。中間シャーシ１９の後部の両端部に設けられたピン１９ａ，１９ｂは、メカシャーシ１２に形成された軸受部１２ａ，１２ｂに回動自在に保持されている。この構成により、中間シャーシ１９は、スライドカム部材１６，１８が相互に逆方向に摺動することによって、ピン１９ａ，１９ｂを回動軸として回動し、中間シャーシ１９の前部が昇降する。
【００４７】
ここで、スライドカム部材１６，１８の相互に逆方向への摺動は、スライドカム部材１６のラック３０とピニオン１０ｇとが噛み合った状態で、モータ９の駆動力がウォームギア９ａ，ギア１０ｅ，１０ｄ，１０ｆを介してピニオン１０ｇに伝達されることにより行われる。ピニオン１０ｇは、ターンテーブル１３上の再生可能位置へ搬送されるディスク２００に押圧されてトリガレバー２５が回動し、当該トリガレバー２５に押圧されてスライドカム部材１６が矢印Ａ２方向に若干摺動することによって、ラック３０と噛み合う。
【００４８】
すなわち、モータ９の駆動によってディスク２００が再生可能位置まで搬送されると、トリガレバー２５の作用とモータ９の駆動力の伝達切換によって、スライドカム部材１６，１８が相互に逆方向に摺動する。これにより、中間シャーシ１９及びトラバース１５が上昇し、ターンテーブル１３上にディスク２００が装着され、ディスク２００が再生可能なクランプ状態となる。
【００４９】
また、スライドカム部材１８には、図３及び図４に示すように、ディスク挿入口１０１ａと反対の奥側の部分にキックアーム３１が設けられている。キックアーム３１は、回動軸３１ａを中心としてスライドカム部材１８に対して回動可能に設けられている。
【００５０】
次に、図５〜図９を用いて、蓋体２の開閉動作に関連する部品の構成について説明する。図５は、蓋体２の開閉動作に関連する部品の構成を一部透過して示す上面図であり、図６は、その斜視図である。図７は、スライドカム部材１８とキックアーム３１の構成を示す斜視図である。図８Ａ及び図８Ｂは、蓋体２の開閉動作に関連する部品の構成を一部透過して示す側面図である。図８Ａは、蓋体２が閉蓋位置に位置する状態を示し、図８Ｂは、蓋体２が開蓋位置に位置する状態を示している。図９は、ディスクドライブユニット１００のディスク挿入口１０１ａと蓋体２との位置関係を示す正面図である。
【００５１】
スライドカム部材１８には、前述した昇降カム１８ａの他に、検出スイッチ２７ｃに当接する突出部１８ｂと、クランパリフタ２３ｂを移動させるためのカム１８ｃと、前述したキックアーム３１の回動を規制するストッパ１８ｄとが形成されている。キックアーム３１の一端部には、スライドカム部材１８のストッパ１８ｄに当接可能なカム部３１ｂが形成されている。カム部３１ｂは、図５に示すように、キックアーム３１の本体部分よりも外側（筐体１０１の側壁側）に突出するように形成されている。キックアーム３１の他端部には、弾性変形可能なバネ片３１ｃが形成されている。バネ片３１ｃは、スライドカム部材１８に設けられた係合部１８ｅに係合可能に形成されている。キックアーム３１は、通常、バネ片３１ｃの先端部が係合部１８ｅに当接することにより回動軸３１ａを中心として矢印Ｃ１方向に付勢され、カム部３１ｂのカム上面３１ｂ−１がスライドカム部材１８のストッパ１８ｄの下面に当接した状態で保持されている。この状態において、矢印Ｃ２方向に一定の回動力がキックアーム３１に付与されたとき、キックアーム３１は、バネ片３１ｃによる付勢力に抗して回動軸３１ａを中心として矢印Ｃ２方向に回動する。これにより、カム部３１ｂのカム上面３１ｂ−１とストッパ１８ｄの下面との間に隙間が形成される。
【００５２】
また、筐体１０１の一方の側壁の外面には軸受部（図示せず）が設けられ、当該軸受部に蓋体アーム２ｂの回動軸２ｄが回動自在に支持されている。蓋体アーム２ｂの端部は、蓋体２の一方の側部に取り付けられている。同様に、筐体１０１の他方の側壁の外面には軸受部（図示せず）が設けられ、当該軸受部に蓋体アーム２ｃの回動軸２ｄが回動自在に支持されている。蓋体アーム２ｃの端部は、蓋体２の他方の側部に取り付けられている。一対の蓋体アーム２ｂ，２ｃが回動軸２ｄを中心として回動することにより、蓋体２は略上下方向（矢印Ｂ１及びＢ２方向）に回動する。
【００５３】
また、蓋体アーム２ｂは、回動軸２ｄよりも蓋体２と反対の奥側に延在する延長部２ｅを有している。当該延長部２ｅには、筐体１０１の一方の側壁に形成された開口部１０１ｂを貫通してスライドカム部材１８のカム部３１ｂのカム下面３１ｂ−２と係合可能な係合部２ｆが設けられている。係合部２ｆは、蓋体アーム２ｂが回動軸２ｄを中心として回動するとき、開口部１０１ｂ内を略上下方向に移動する。すなわち、蓋体２が閉蓋位置２Ａから開蓋位置２Ｂに移動するとき、係合部２ｆは上昇し、蓋体２が開蓋位置２Ｂから閉蓋位置２Ａに移動するとき、係合部２ｆは下降する。図８Ｂに示すように、係合部２ｆが上昇しているとき、スライドカム部材１８のカム部３１ｂのカム下面３１ｂ−２と係合可能になっている。
【００５４】
また、蓋体アーム２ｂには、トグルばね４を収容する凹部２ｇと、トグルばね４の端部４ｂが係合する切欠部２ｈとが形成されている。また、筐体１０１の一方の側壁には、トグルばね４の端部４ａが係合する係合孔１０１ｃが形成されている。
【００５５】
トグルばね４は、端部４ａが筐体１０１の係合孔１０１ｃに係合し、端部４ｂが蓋体アーム２ｂの切欠部２ｈと係合するように取り付けられている。これにより、トグルばね４は、蓋体アーム２ｂが回動軸２ｄを中心として回動することにより、端部４ａを支点とし、端部４ｂを作用点として回動する。
【００５６】
また、トグルばね４は、図８Ａに示すように、作用点である端部４ｂが蓋体アーム２ｂの回動軸２ｄと端部４ａとを通る直線Ｌ１よりも上方に位置するとき、蓋体アーム２ｂを矢印Ｂ１方向に付勢する。このトグルばね４の付勢力により、蓋体２が閉蓋位置２Ａで保持される。また、トグルばね４は、図８Ｂに示すように、作用点である端部４ｂが直線Ｌ１よりも下方に位置するとき、蓋体アーム２ｂを矢印Ｂ２方向に付勢する。このトグルばね４の付勢力により、蓋体２が開蓋位置２Ｂで保持される。すなわち、トグルばね４は、蓋体２が閉蓋位置２Ａ又は開蓋位置２Ｂのいずれかに位置する状態で、その状態を保持する保持機構として機能する。
【００５７】
蓋体２の閉蓋位置２Ａから開蓋位置２Ｂへの移動は、蓋体２の上部を、トグルばね４の矢印Ｂ１方向の付勢力に抗して、手指により矢印Ｂ２方向に押圧することにより行うことができる。当該押圧により、作用点である端部５０ｂが直線Ｌ１より下方に移動すると、トグルばね４の付勢力が作用する方向が、矢印Ｂ１方向から矢印Ｂ２方向に反転する。これにより、蓋体２は、図８Ｂに示すように開蓋位置２Ｂで保持される。
【００５８】
また、蓋体アーム２ｂの下方には、図８Ａ及び図８Ｂに示すように、蓋開閉検出部の一例である蓋開閉検出スイッチ３２が設けられている。蓋開閉検出スイッチ３２は、外装ケース１の底壁１ｃに形成された保持部１ｄ上に設けられている。蓋開閉スイッチ３２は、蓋体アーム２ｂに当接可能な操作レバー３２ａを備えている。蓋開閉スイッチ３２は、操作レバー３２ａが蓋体アーム２ｂに当接したときオンされ、操作レバー３２ａが蓋体アーム２ｂに当接しないときオフされる。蓋体２の開閉状態は、この蓋開閉検出スイッチ３２のオン・オフに基づいて、検出することができる。
【００５９】
また、蓋体２が開蓋位置２Ｂに位置するとき、図９に示すように、蓋体２の上表面は、ディスク挿入口１０１ａの下側に位置し、ディスク２００をディスク挿入口１０１ａに挿入する際のガイドとして使用できるようになっている。ディスク挿入口１０１ａは、図９に示すように、緩やかに凹状に湾曲するガイド面を有している。また、前述したように、ディスク挿入口１０１ａの近傍には、ローラベース５のガイド部５ａと上ガイド５ｂとが設けられている。ローラベース５のガイド部５ａと上ガイド５ｂとは、ディスク挿入口１０１ａと同様に、緩やかに凹状に湾曲したガイド面を有している。ディスク２００は、ディスク挿入口１０１ａのほぼ中央部、及びガイド部５ａと上ガイド５ａとの間のほぼ中央部を通るように、防塵カバー３のスリット３ｂの周囲部分にガイドされながら、ディスクドライブユニット１００の内部へ搬送される。
【００６０】
次に、図１０〜図１２を用いて、筐体１０１内に挿入されたディスク２００を再生可能位置まで搬送するディスク搬送動作について説明する。図１０〜図１２は、ディスク２００の搬送状態を示す上面図である。
【００６１】
図１０は、筐体１０１内にディスク２００を挿入した直後の状態を示している。このとき、ディスク２００は、右側の一対のゴムローラ６ａ，６ｂ及び左側の一対のゴムローラ６ｃ，６ｄに当接している。また、このとき、ローラアーム７ｂに設けられたディスク検出レバー２９がディスク２００に押圧されて回動することにより、検出スイッチ２７ａが作動し、ディスク挿入口１０１ａを通じてディスク２００が挿入されたことを検出する。検出スイッチ２７ａが作動すると、モータ９が駆動を開始する。モータ９の駆動力は、ギア列１０及びギア列８を介して、ゴムローラ６ａ，６ｂに伝達される。これにより、ゴムローラ６ａ，６ｂが矢印Ａ３方向に回動し、ゴムローラ６ｂの回転駆動力及び摩擦力と、当該ゴムローラ６ｂとディスク２００を挟んで対向する回転しないゴムローラ６ｄの摩擦力とによって、ディスク２００がゴムローラ６ｄ（より詳細にはディスク２００との当接部）を回動中心として矢印Ａ４方向に回動する。この矢印Ａ４方向の回動により、ディスク２００は、矢印Ａ１方向に搬送される。
【００６２】
図１０に示す状態から、ディスク２００が矢印Ａ１方向に搬送されると、当該ディスク２００によってゴムローラ６ｂとゴムローラ６ｄとの間が押し広げられる。これにより、図１６Ａ及び図１６Ｂに示すねじりコイルばね７ａ−２，７ｂ−２の付勢力に抗して、ローラアーム７ａが矢印Ａ５方向に回動し、ローラアーム７ｂが矢印Ａ６方向に回動する。すなわち、一対のローラアーム７ａ，７ｂは、互いに遠ざかる方向（開く方向）に回動する。このローラアーム７ａ，７ｂの回動により、ゴムローラ６ａ，６ｃが、一旦、ディスク２００の周縁部から離れる。その後、ディスク２００が更に矢印Ａ１方向に搬送され、ディスク２００の左右最大径であるディスク２００の中心部がゴムローラ６ｂ，６ｄ間を通り過ぎると、図１６Ａ及び図１６Ｂに示すねじりコイルばね７ａ−２，７ｂ−２の付勢力により、ローラアーム７ａが矢印Ａ７方向に回動し、ローラアーム７ｂが矢印Ａ８方向に回動する。すなわち、一対のローラアーム７ａ，７ｂは、互いに近づく方向（閉じる方向）に回動する。これにより、ゴムローラ６ａ，６ｃは、再び、ディスク２００の周縁部と当接することとなり、図１１に示す状態となる。
【００６３】
図１１は、ゴムローラ６ａ〜６ｄの全てがディスク２００と当接した状態を示している。この状態から更にディスク２００が矢印Ａ１方向に搬送されることにより、図１２に示すディスク２００が再生可能位置まで搬送された状態となる。ディスク２００は、筐体１０１内に挿入された直後のディスク位置２００ａ（図１０参照）から、再生可能なディスク位置２００ｃ（図１２参照）まで搬送される過程で、図１１に示すディスク位置２００ｂを通過する。このディスク位置２００ｂは、ディスク２００の回転力が、ゴムローラ６ｂ，６ｄから伝達されるのに代えてゴムローラ６ａ，６ｃから伝達されるように切り換えられる位置である。すなわち、このディスク位置２００ｂからディスク位置２００ｃまでは、ディスク２００は、ゴムローラ６ａの回転駆動力によって、ゴムローラ６ｃの回動中心として矢印Ａ４方向に回動する。このゴムローラ６ｃを回動中心とする矢印Ａ４方向の回動により、ディスク２００は、更に矢印Ａ１方向に搬送され、ディスク２００が図１２に示すディスク位置２００ｃまで搬送される。この位置でディスク２００の搬送動作は終了する。
【００６４】
ディスク２００が図１２に示す位置、すなわちターンテーブル１３に対向するディスク再生可能位置まで搬送されると、トリガレバー２５によってディスク２００の搬送完了位置、すなわち前述のディスク位置２００ｃが検出される。この図１２に示すディスク位置２００ｃにおいて、トリガレバー２５の作用により、モータ９による駆動力の伝達が、ディスク２００の搬送駆動からスライドカム部材１６，１８の駆動に切り換えられ、ディスク装着のクランプ動作が行われるが、そのトリガレバー２５による切換の状態を示すのが図１３及び図１４である。
【００６５】
次に、図１３及び図１４を用いて、ディスク搬送動作からディスク装着動作への切り換え時におけるガイドレバー２６、センタリング部材２４、トリガレバー２５、及びスライドカム部材１６の動作について説明する。図１３及び図１４は、ディスク搬送動作時におけるガイドレバー２６、センタリング部材２４、トリガレバー２５、及びスライドカム部材１６の位置関係を示す上面図である。なお、これらの図においては、便宜上、一部を透過図で示している。
【００６６】
ディスク２００がディスク挿入口１０１ａを通じて挿入され矢印Ａ１方向に搬送されると、まず、ディスク２００の先端部の近傍がガイドレバー２６の位置決め用ガイド２６ｂに当接して、ディスク２００の厚み方向の高さ位置が位置決めされる。この状態で更にディスク２００が矢印Ａ１方向に搬送されると、ディスク２００が回動軸２６ａを中心としてガイドレバー２６を回動させる。その後、ディスク２００は、センタリング部材２４の位置決め当接部２４ａ，２４ｂに当接し、当該センタリング部材２４によって左右方向の位置を位置決めされる（すなわち、センタリングされる）。この状態で更にディスク２００が矢印Ａ１方向に搬送されると、ディスク２００がセンタリング部材２４を矢印Ａ１方向に移動させる。このセンタリング部材２４の移動により、センタリング部材２４に設けられたガイドカム２４ｅに回動軸部２５ｃが係合するトリガレバー２５は、回動軸部２５ｃがガイドカム２４ｅの第１の直線部２４ｅ−１から傾斜カム部２４ｅ−２、第２の直線部２４ｅ−３へとガイドされ、傾斜カム部２４ｅ−２にガイドされる際にその全体がスライドカム部材１６に近づく方向に移動する。なお、トリガレバー２５の回動軸部２５ｃは、矢印Ａ１及びＡ２方向に移動しないように設けられている。トリガレバー２５の前記移動により、トリガレバー２５のスライドカム押圧部２５ｂとスライドカム部材１６の第１係合部１６ｂとの係合が外れる。この状態で更にディスク２００が矢印Ａ１方向に搬送されると、ディスク２００がトリガレバー２５のディスク当接部２５ａに当接してトリガレバー２５を押圧する。これにより、トリガレバー２５が回動軸部２５ｃを中心として矢印Ａ１０方向に回動し、図１３に示す状態になる。このとき、トリガレバー２５のスライドカム押圧部２５ｂは、スライドカム部材１６の第２係合部１６ｃと当接する。この状態は、搬送されたディスク２００が再生可能位置に搬送されたことを、トリガレバー２５が検出した状態であるが、この時、スライドカム部材１６のラック３０とピニオン１０ｇは、まだ噛み合っていない状態にある。
【００６７】
図１３に示す状態から更にディスク２００が矢印Ａ１方向に搬送されると、ディスク２０によりディスク当接部２５ａを押圧されたトリガレバー２５が回動軸部２５ｃを中心として矢印Ａ１０方向に更に回動する。これにより、トリガレバー２５のスライドカム押圧部２５ｂがスライドカム部材１６の第２係合部１６ｃを押圧し、スライドカム部材１６が矢印Ａ２方向に若干摺動する。これにより、図１４に示すように、スライドカム部材１６のラック３０がピニオン１０ｇと噛み合い、スライドカム部材１６がモータ９の駆動力により直接駆動されるようになる。すなわち、ディスク搬送動作が完了し、ディスク装着動作が開始される。
【００６８】
なお、図１４に示す状態は、ディスク２００が再生可能位置まで搬送された状態である。この図１４に示す状態では、モータ９の駆動力がピニオン１０ｇに伝達され、ピニオン１０ｇが回転している。このため、ピニオン１０ｇと噛み合うラック３０が駆動され、スライドカム部材１６が更に矢印Ａ２方向に摺動する。この摺動に伴い、スライドカム部材１６にリンクアーム１７を介して連結されているスライドカム部材１８が、矢印Ａ１方向に摺動する。このスライドカム部材１６，１８の互いに逆方向の摺動により、前述したように、ディスク２００のターンテーブル１３上への装着動作が行われる。
【００６９】
なお、ディスク２００の搬送動作から装着動作への切換の過程で、トリガレバー２５のディスク当接部２５ａなどのディスク２００と当接している部分は、スライドカム部材１６，１８の移動に連動して、ディスク２００から離れるようにしている。これにより、ディスク２００の装着動作に支障が無いようになっている。
【００７０】
次に、ディスク排出動作について説明する。ディスク２００の排出を行うためには、まず、トラバース１５の下降動作を行って、再生可能な状態にあるディスク２００のクランプ状態を解除し、ディスク２００の搬送が可能な状態にする必要がある。ここでは、この説明を省略し、ディスク２００が、図１２に示すディスク位置２００ｃに位置し、クランプ状態を解除され、且つゴムローラ６ａ，６ｃによって挟持されているものとして説明を始める。
【００７１】
まず、モータ９がクランプ状態解除のため既に逆駆動されていることにより、ゴムローラ６ａ，６ｂがディスク２００の搬入時とは逆方向に回転する。これにより、ディスク２００がゴムローラ６ｃを回動中心として、ディスク２００を矢印Ａ４方向とは逆方向に回転する。この矢印Ａ４方向とは逆方向への回動により、ディスク２００は、矢印Ａ１方向とは逆方向（すなわち矢印Ａ２方向）に搬送される。
【００７２】
矢印Ａ１方向とは逆方向の搬送により、ディスク２００が図１１に示すディスク位置２００ｂに達すると、ディスク２００の回動力が、ゴムローラ６ａ，６ｃから伝達されるのに代えてゴムローラ６ｂ，６ｄから伝達されるように切り換えられる。これにより、ディスク２００は、ゴムローラ６ｄを回動中心として矢印Ａ４方向とは逆方向に回動する。この矢印Ａ４方向とは逆方向の回動により、ディスク２００は、更に矢印Ａ１方向とは逆方向に搬送される。この矢印Ａ１方向とは逆方向の搬送によりディスク２００が図１０に示すディスク位置２００ａまで搬送されたことを検出スイッチ２７ｂが検出すると、モータ９が駆動を停止する。これにより、ディスク２００の排出動作が完了する。
【００７３】
なお、図１０に示すディスク位置２００ａまで排出されたディスク２００は、ユーザの手指によって取り出しが可能となる。また、このとき、ディスク２００は、ゴムローラ６ａ〜６ｄによる挟持力及び摩擦力と、防塵カバー３の弾性力及び摩擦力とにより、ディスク挿入口１０１ａから筐体１０１の外部へ飛び出すことなく保持される。
【００７４】
次に、図１７Ａ〜図２０を用いて、ターンテーブル１３を昇降動作させる構成について説明する。
【００７５】
図１７Ａ及び図１７Ｂは、ターンテーブル１３が下降した状態（ディスク２００が挿入されていない待機状態）にあるときの中間シャーシ１９とスライドカム部材１６，１８との位置関係を示す斜視図である。図１８は、ターンテーブル１３が下降した状態にあるときのスライドカム部材１６，１８とリンクアーム１７との位置関係を示す上面図である。この状態では、スライドカム部材１６は、図３を用いて前述したようにバネ１６ｊにより矢印Ａ１方向に付勢されている。このスライドカム部材１６は、リンクアーム１７を介してスライドカム部材１８と連結されている。リンクアーム１７は、回動軸１７ａを中心として回動自在に設けられている。このため、スライドカム部材１８は、バネ１６ｊにより、スライドカム部材１６とは逆向きの矢印Ａ２方向に付勢されている。従って、スライドカム部材１８に接続されたキックアーム３１も、矢印Ａ２方向に付勢されている。これにより、キックアーム３１は、図４に示すように、蓋体２から最も近い位置に位置した状態で保持されている。
【００７６】
スライドカム部材１８には、図１８に示すように、検出スイッチ２７ｃと当接可能な突出部１８ｂが形成されている。突出部１８ｂは、ディスク２００が再生可能位置に搬送されて、スライドカム部材１８が矢印Ａ１方向に摺動した際、検出スイッチ２７ｃに当接し、当該検出スイッチ２７ｃを作動させるものである。
【００７７】
なお、図１７Ａ，図１７Ｂ、及び図１８に示す状態は、前述したように、ディスク２００が再生可能位置に搬送され、トリガレバー２５のスライドカム押圧部２５ｂによりスライドカム部材１６が押圧されてラック３０がピニオン１０ｇに噛み合い、スライドカム部材１６が矢印Ａ２方向に摺動を開始するまで継続される。スライドカム部材１６が矢印Ａ２方向に摺動すると共に、スライドカム部材１８が矢印Ａ１方向に摺動することにより、中間シャーシ１９の係合ピン１９ｃ，１９ｄが昇降カム１６ａ，１８ａに沿って移動する。これにより、中間シャーシ１９の前部が上昇してターンテーブル１３が上昇し、ディスク２００がターンテーブル１３とクランパ２１との間に挟持される。その後、前述したスライドカム部材１８の突出部１８ｂが検出スイッチ２７ｃに当接することにより、モータ９の駆動が停止される。これにより、ディスク２００の装着完了状態となり、図１９Ａ，図１９Ｂ及び図２０に示す状態となる。
【００７８】
図１９Ａ及び図１９Ｂは、ターンテーブル１３が上昇した状態（ディスク２００の装着完了状態）にあるときの中間シャーシ１０とスライドカム部材１６，１８との位置関係を示す斜視図である。図２０は、ターンテーブルが上昇した状態にあるときのスライドカム部材１６とスライドカム部材１８とリンクアーム１７の位置関係を示す上面図である。なお、このとき、ラック３０とピニオン１０ｇとは、噛み合ったままである。この状態において、キックアーム３１は、蓋体２から最も離れた位置に位置している。また、この状態は、ディスク２００の排出のために、モータ９が逆駆動され、ピニオン１０ｇを介してラック３０を駆動し、スライドカム部材１６がディスク２００の装着時とは逆方向である矢印Ａ１方向に摺動を開始するまで維持される。
【００７９】
次に、図２１Ａ〜図２３Ｃを用いて、ディスク装着動作及びディスク排出動作に連動して行われる蓋体２の開閉動作について説明する。
【００８０】
図２１Ａは、蓋体２が閉蓋位置２Ａに位置するときの蓋体２に関連する部品の位置関係を示している。図２１Ａに示す状態において、ディスク２００は、ターンテーブル１３上に装着されていない状態にある。蓋体２は、トグルばね４の矢印Ｂ１方向の付勢力によって閉蓋位置２Ａで保持されている。蓋開閉検出スイッチ３２は、操作レバー３２ａと蓋体アーム２ｂとが接触せず、オフ状態にある。スライドカム部材１８は、最も蓋体２に近い位置に移動した初期状態にある。キックアーム３１のカム部３１ｂは、蓋体アーム２ｂの係合部２ｆより前方（蓋体２側）に位置している。
【００８１】
図２１Ａに示す状態で、ユーザが蓋体２の上表面を矢印Ｂ２方向に押圧すると、蓋体アーム２ｂが回動軸２ｄを中心として矢印Ｂ２方向に回動する。この蓋体アーム２ｂの回動により、当該蓋体アーム２ｂと係合するトグルばね４の端部４ｂが下方に移動する。
【００８２】
図２１Ｂは、トグルばね４の端部４ｂが直線Ｌ１上に位置するまで蓋体アーム２ｂが矢印Ｂ２方向に回動した状態を示している。蓋体アーム２ｂの矢印Ｂ２方向の回動により、トグルばね４の端部４ｂが直線Ｌ１を通過するタイミングで、トグルばね４が蓋体アーム２ｂを付勢する方向が矢印Ｂ１方向から矢印Ｂ２方向に反転する。このトグルばね４の矢印Ｂ２方向の付勢力により、蓋体２が開蓋位置２Ｂで保持される。なお、図２１Ｂに示す状態から図２１Ｃに示す状態までの蓋体２の移動はトグルばね４の付勢力により行うことができるので、ユーザは、図２１Ａに示す状態から図２１Ｂに示す状態まで蓋体２を押圧するだけで、蓋体２を開蓋位置２Ｂに移動させることができる。また、図２１Ｃに示す状態から図２１Ａに示す状態まで蓋体２を移動させる場合も同様である。すなわち、図２１Ｂに示す状態から図２１Ａに示す状態までの蓋体２の移動はトグルばね４の付勢力により行うことができるので、ユーザは、図２１Ｃに示す状態から図２１Ｂに示す状態まで蓋体２を押圧するだけで、蓋体２を閉蓋位置２Ａに移動させることができる。
【００８３】
また、前述した蓋体アーム２ｂの矢印Ｂ２方向の回動により、蓋体アーム２ｂの係合部２ｆは、図２１Ａに示す位置から図２１Ｃに示す位置まで上昇する。なお、このとき、係合部２ｆは、キックアーム３１のカム部３１ｂと係合しない。
【００８４】
また、蓋体アーム２ｂが図２１Ｂに示す位置から図２１Ｃに示す位置まで回動するとき、蓋体アーム２ｂが操作レバー３２ａに当接して、蓋開閉検出スイッチ３２がオンされる。このとき、蓋体２は開蓋位置２Ｂに位置し、ディスク挿入口１０１ａにディスク２００を挿入することが可能になる。なお、図２１Ａに示す状態から図２１Ｃに示す状態までユーザが蓋体２を押圧する間、スライドカム部材１８やキックアーム３１などのディスクドライブユニット１００の内部に配置された各部品は、ディスク２００がターンテーブル１３上に装着されていないため、何ら変化（移動）しない。
【００８５】
次に、図２２Ａ〜図２２Ｃを用いて、蓋体２が開蓋位置２Ｂに位置する状態でディスク２００を挿入したときの蓋体２に関連する部品の動作について説明する。
【００８６】
図２２Ａは、ディスク２００をディスク挿入口１０１ａに挿入した直後における蓋体２に関連する部品の位置関係を示している。図２２Ａに示すディスクドライブユニット１００に対するディスク２００の状態は、前述した図１０と同じ状態である。蓋体２が開蓋位置２Ｂに位置する状態では、前述したように、蓋開閉検出スイッチ３２がオン状態になっている。この状態において、ディスク２００が筐体１０１内に挿入されたことを検出スイッチ２７ａが検出すると、モータ９が駆動し、前述したディスク搬送動作が開始される。これにより、図１０〜図１４を用いて説明したように、ディスク２００は、ディスク搬送機構によりターンテーブル１３に対向する位置まで搬送され、ディスク装着機構によりターンテーブル１３上に装着されることとなる。
【００８７】
ディスク２００がターンテーブル１３上に装着される際、スライドカム部材１８は、前述したように矢印Ａ１方向に摺動する。このスライドカム部材１８の矢印Ａ１方向への摺動により、スライドカム部材１８に設けられたキックアーム３１も同時に矢印Ａ１方向に摺動する。これにより、図２２Ａに示すように上昇している蓋体アーム２ｂの係合部２ｆに、キックアーム３１のカム部３１ｂのカム下面３１ｂ−２が係合する。このとき、カム部３１ｂのカム上面３１ｂ−１がスライドカム部材１８のストッパ１８ｄに当接して移動を規制されているため、係合部２ｆは、カム下面３１ｂ−２の傾斜面によって下方に押し下げられることになる。係合部２ｆが下方に押し下げられることによって、蓋体アーム２ｂは、トグルばね４による矢印Ｂ２方向の付勢力に抗して矢印Ｂ１方向（閉蓋方向）に回動する。
【００８８】
図２２Ｂは、トグルばね４の端部４ｂが直線Ｌ１上に位置するまで蓋体アーム２ｂが矢印Ｂ１方向に回動した状態を示している。蓋体アーム２ｂの矢印Ｂ１方向の回動により、トグルばね４の端部４ｂが直線Ｌ１を通過するタイミングで、トグルばね４が蓋体アーム２ｂを付勢する方向が矢印Ｂ２方向から矢印Ｂ１方向に反転する。このトグルばね４の矢印Ｂ１方向の付勢力により、蓋体２は閉蓋位置２Ａへ移動する。
【００８９】
前述したディスク装着動作において、スライドカム部材１８は、キックアーム３１のカム部３１ｂのカム下面３１ｂ−２が係合部２ｆを完全に押し下げ、蓋体２が閉蓋位置２Ａに移動した後も、矢印Ａ１方向の移動を継続する。その後、図２２Ｃに示すように、スライドカム部材１８が蓋体２から最も離れた位置まで移動したとき、ディスク装着動作が完了し、スライドカム部材１８の移動が停止する。この図２２Ｃに示す状態では、係合部２ｆとカム部のカム下面３１ｂ−２とが係合していないので、トグルばね４の付勢力により、係合部２ｆの上方向の移動が規制される。従って、蓋体２は閉蓋位置２Ａで保持される。
【００９０】
次に、図２３Ａ〜図２２Ｃを用いて、ターンテーブル１３上に装着されているディスク２００を排出するときの蓋体２に関連する部品の動作について説明する。なお、ディスク２００がターンテーブル１３上に装着されているとき、スライドカム部材１８は、図２２Ｃに示すように、蓋体２から最も離れた位置に位置している。
【００９１】
図２３Ａは、ターンテーブル１３上に装着されているディスク２００を排出するために、ユーザが蓋体２を閉蓋位置２Ａから開蓋位置２Ｂまで押圧した状態を示している。蓋体２が閉蓋位置２Ａから開蓋位置２Ｂまで押圧されることにより、蓋体アーム２ｂが操作レバー３２ａと当接して、蓋開閉検出スイッチ３２がオンされる。蓋開閉検出スイッチ３２は、ディスク２００の排出のためのイジェクトスイッチとしての機能を有する。すなわち、蓋開閉スイッチ３２がオンされることにより、ディスクドライブユニット１００のモータ９が駆動され、ディスク２００の排出動作が行われるようになっている。このように設定されているのは、以下の理由による。
【００９２】
すなわち、ユーザが蓋体２を閉蓋位置２Ａから開蓋位置２Ｂに移動させるのは、ディスク２００を取り出したい場合、又は新たなディスク２００を挿入したい場合のいずれかである。いずれの場合も、ディスク２００がターンテーブル１３上に装着され、スライドカム部材１８が蓋体２から最も離れた位置に移動している状態においては、ディスクドライブユニット１００内のディスク２００を排出（イジェクト）する必要がある。このため、ユーザが蓋体２を閉蓋位置２Ａから開蓋位置２Ｂに移動させたときに自動的にディスク２００の排出動作が行われるようにすることが好ましいと考えられる。そこで、蓋体２の開蓋位置２Ｂへの移動に連動して蓋開閉検出スイッチ３２をオン状態にし、自動的に、ディスク２００の排出動作が開始されるようにしている。
【００９３】
ディスク２００の排出動作が開始されると、前述したように、スライドカム部材１８が矢印Ａ２方向に摺動する。これにより、スライドカム部材１８に設けられたキックアーム３１も矢印Ａ２方向に移動する。このキックアーム３１の移動に伴い、カム部３１ｂのカム上面３１ｂ−１が、蓋体アーム２ｂの係合部２ｆに係合する。
【００９４】
図２３Ｂは、キックアーム３１のカム部３１ｂのカム上面３１ｂ−１が、蓋体アーム２ｂの係合部２ｆに係合した直後の状態を示している。図２３Ｂに示す状態において、蓋体アーム２ｂの係合部２ｆは、トグルばね４の付勢力により付勢され、更に押し上げられることが実質的にできない位置で保持されている。これに対して、キックアーム３１は、バネ片３１ｃの付勢力により回動軸３１ａを中心として矢印Ｃ１方向に付勢されているものの、当該バネ片３１ｃの付勢力以上の回動力を付加することにより、矢印Ｃ２方向へは回動可能な状態にある。従って、ディスク２００の排出動作時において、スライドカム部材１８が矢印Ａ２方向へ移動して、キックアーム３１のカム部３１ｂのカム上面３１ｂ−１が係合部２ｆと係合したとき、当該キックアーム３１が矢印Ｃ２方向に回動する。このとき、蓋体アーム２ｂは何ら回動動作等をすることなく、スライドカム部材１８は矢印Ａ２方向へ移動する。
【００９５】
ターンテーブル１３の下降動作が完了し、ディスク排出動作を行う主体がディスク装着機構からディスク搬送機構に切り換わったとき、スライドカム部材１８は移動を停止する。図２３Ｃは、当該スライドカム部材１８が移動を停止し且つディスク２００がディスク挿入口１０１ａに排出された排出動作完了状態を示している。この排出動作完了状態において、ディスク２００は、図１０に示す状態にある。すなわち、ディスク２００は、ゴムローラ６ａ〜６ｄに挟持されると共に、防塵カバー３を構成する弾性シート３ａに支持された状態にある。ユーザは、ディスク２００の中央に設けられた孔に手指を挿入することにより、ディスク２００を容易に抜き取ることができる。なお、このとき、蓋体２は、トグルばね４による矢印Ｂ２方向の付勢力により、開蓋位置２Ｂで保持されている。この蓋体２を閉蓋位置２Ａに移動するには、蓋体２の下部を押し上げることにより行うことができる。
【００９６】
次に、キックアーム３１の機能に着目して説明する。
【００９７】
図２２Ａ〜図２２Ｃを用いて前述したように、ディスク２００がディスクドライブユニット１００内に挿入されターンテーブル１３上に装着されるとき、スライドカム部材１８が矢印Ａ１方向に移動する。このスライドカム部材１８の移動の過程で、キックアーム３１のカム部３１ｂのカム下面３１ｂ−２が蓋体アーム２ｂの係合部２ｆに係合して、蓋体アーム２ｂが回動する。この蓋体アーム２ｂの回動により、蓋体２が閉蓋位置２Ａに移動する。一方、図２３Ａ〜図２３Ｃを用いて前述したように、ターンテーブル１３上に装着されたディスク２００を排出するとき、スライドカム部材１８が矢印Ａ２方向に移動する。このスライドカム部材１８の移動の過程で、キックアーム３１のカム部３１ｂのカム上面３１ｂ−１が蓋体アーム２ｂの係合部２ｆに係合し、キックアーム３１が矢印Ｃ２方向に回動する一方で、蓋体アーム２ｂは何ら回動動作等を行わない。従って、蓋体２は、開蓋位置２Ｂで保持される。
【００９８】
すなわち、キックアーム３１は、蓋体２が同じ開蓋位置２Ｂに位置する場合であっても、蓋体２を閉蓋位置２Ａに移動させるように機能する場合と、蓋体２を閉蓋位置２Ａに移動させないように機能する場合とがある。言い換えれば、キックアーム３１は、スライドカム部材１８が矢印Ａ１方向に移動するときだけ蓋体２を閉蓋位置２Ａに移動させ、スライドカム部材１８が矢印Ａ２に移動するときには蓋体が開蓋位置２Ｂに位置状態を保持するという、いわゆる１ウェイクラッチとしての機能を有している。
【００９９】
次に、図２４を用いて、本発明の実施形態にかかるディスク装置の制御関係の構成について説明する。図２４は、本実施形態にかかるディスク装置の制御関係の構成を示すブロック図である。
【０１００】
図２４において、本実施形態にかかるディスク装置は、制御部３３と、検出スイッチ群３４と、搬入・搬出モータ制御回路３５と、ディスク再生機構３６とを備えている。
【０１０１】
制御部３３は、検出スイッチ群３４の検出情報に基づいて、搬入・搬出モータ制御回路３５とディスク再生機構３６とを制御する。検出スイッチ群３４は、検出スイッチＳＷ１〜ＳＷ４を備えている。検出スイッチＳＷ１は、蓋開閉検出スイッチ３２に対応している。検出スイッチＳＷ２は、ディスク挿入口１０１ａを通じて挿入されたディスク２００を検出する検出スイッチ２７ａに対応している。検出スイッチＳＷ３は、ディスク２００の排出時にディスク搬送動作の終了を検出する検出スイッチ２７ｂに対応している。検出スイッチＳＷ４は、ディスク２００が再生可能位置に搬送されターンテーブル１３上に装着されたか否かを検出する検出スイッチ２７ｃに対応している。搬入・搬出モータ制御回路３５は、モータ９の駆動を制御する制御回路である。ディスク再生機構３６は、スピンドルモータや、トラバース駆動部、光学的な検出制御部、信号処理部等のディスク２００の再生に必要な装置を含むものである。ここでは、ディスク再生機構３６の詳細は省略する。
【０１０２】
次に、図２５を用いて、本実施形態にかかるディスク装置の制御フローを説明する。図２５は、本実施形態にかかるディスク装置の制御フローを示すフローチャートである。なお、下記制御フローは、制御部３３の制御の下で行われる。
【０１０３】
まず、ステップＳ１では、蓋体２が閉蓋位置２Ａに位置するか否かを判断する。具体的には、検出スイッチＳＷ１（蓋開閉検出スイッチ３２）がオンされたか否かを判断する。蓋体２が開蓋位置２Ｂに移送されて検出スイッチＳＷ１がオンされると、ステップＳ２に進む。
【０１０４】
ステップＳ２では、ディスク２００がターンテーブル１３上に装着されている状態か否かを判断する。具体的には、検出スイッチＳＷ４（検出スイッチ２７ｃ）がオンされた後、検出スイッチＳＷ３（検出スイッチ２７ｂ）がオンされたか否かを判断する。ディスク２００がターンテーブル１３上に装着されていない状態（図２１Ｃに示す状態）であるとき、ステップＳ３に進む。一方、ディスク２００がターンテーブル１３上に装着されている状態（図２３Ａに示す状態）であるとき、ステップＳ９に進む。なお、ディスク２００がターンテーブル１３上に装着されている状態で、ユーザが蓋体２を開蓋位置２Ｂに移動させるのは、ディスク２００をディスクドライブユニット１００から排出したいときと考えられる。
【０１０５】
ステップＳ３では、ディス挿入口１０１ａにディスク２００が挿入されたか否かを判断する。具体的には、検出スイッチＳＷ２（検出スイッチ２７ａ）がオンされたか否かを判断する。ディスク挿入口１０１ａにディスク２００が挿入されていない場合、ステップＳ４に進む。一方、ディスク挿入口１０１aにディスク２００が挿入された場合、ステップＳ５に進む。
【０１０６】
ステップＳ４では、蓋体２が開蓋位置２Ｂに位置する状態が継続されているか否かを判断する。具体的には、検出スイッチＳＷ１がオフであるか否かを判断する。蓋体２の開蓋位置２Ｂに位置する状態が継続されている場合、ステップＳ３に戻る。一方、ディスク２００が挿入されることなく、蓋体２が閉蓋位置２Ａに移動された場合（図２１Ａに示す状態）、本制御フローを終了する。
【０１０７】
一方、ステップＳ５では、ディスク挿入口１０１ａから挿入されたディスク２００を再生可能位置に搬送するように、ディスク搬送機構が制御される（ディスク搬入指令）。その後、ステップＳ６に進む。
【０１０８】
ステップＳ６では、モータ９が正転駆動され、ディスク搬入動作及びディスク装着動作が行われる。その後、ステップＳ７に進む。なお、このディスク装着動作の過程で、図２２Ａ〜図２２Ｃに示すように、蓋体２が閉蓋位置２Ａへ移動する。ディスク２００がターンテーブル１３上に装着され、蓋体２が閉蓋位置２Ａに到達すると、検出スイッチＳＷ４（検出スイッチ２７ｃ）がオンされる（図２２Ｃに示す状態）。
【０１０９】
ステップＳ７では、ディスク２００がターンテーブル１３上に装着されたか否かを判断する。具体的には、検出スイッチＳＷ４（検出スイッチ２７ｃ）がオンされたか否かを判断する。ディスク２００がターンテーブル上に装着されていないとき、ステップＳ６に戻る。一方、ディスク２００がターンテーブル１３上に装着されたとき、ステップＳ８に進む。
【０１１０】
ステップＳ８では、モータ９の駆動を停止（ディスク装着完了）させ、本制御フローを終了する。
【０１１１】
ステップＳ９では、蓋体２が開蓋位置２Ｂに位置すると共に、ディスク２００がターンテーブル１３上に装着されている状態であるとき、ディスク再生機構３６によりディスク２００が再生中であるか否かを判断する。ディスク２００が再生中であるとき、ステップＳ１０に進む。ディスク２００が再生中でないとき、ステップＳ１１に進む。
【０１１２】
ステップＳ１０では、ディスク２００の再生を停止させるように、ディスク再生機構３６が制御される（ディスク再生停止指令）。その後、ステップＳ１２に進む。
【０１１３】
ステップＳ１１では、ディスク２００をディスク挿入口１０１ａから排出するように、ディスク搬送機構が制御される（ディスク排出指令）。その後、ステップＳ１２に進む。
【０１１４】
ステップＳ１２では、モータ９を反転駆動させる。これにより、ディスク排出動作が開始される。その後、ステップＳ１３に進む。
【０１１５】
ステップＳ１３では、ディスク排出動作が完了した（図２３Ｃに示す状態）か否かを判断する。具体的には、検出スイッチＳＷ３（検出スイッチ２７ｂ）がオンされたか否かを判断する。ディスク排出動作が完了したと判断すると、ステップＳ１４に進む。
【０１１６】
ステップＳ１４では、モータ９の駆動を停止（ディスク排出完了）させ、本制御フローを終了する。なお、このとき、ディスク２００は、ゴムローラ６ａ〜６ｄと防塵カバー３を構成する弾性シート３ａとに保持された状態となっている。
【０１１７】
上述したように、蓋体２が開閉位置２Ｂに移動されたとき、ディスク２００がターンテーブル１３上に装着されているか否かによって、その後の制御フローが異なる。ターンテーブル１３上にディスク２００が装着されていない場合には、ディスク挿入口１０１ａからディスク２００を挿入すると、ディスク装着動作に連動して、蓋体２が開蓋位置２Ｂから閉蓋位置２Ａに自動的に移動されるようになっている。一方、ディスク２００がターンテーブル１３上に装着されている場合には、蓋体２の閉蓋位置２Ａから開蓋位置２Ｂへの移動に連動して、ディスク排出動作が自動的に行われるようになっている。
【０１１８】
以上、本実施形態のディスク装置によれば、ディスク挿入口１０１ａを外側から塞ぐ蓋体２を備えているので、外装ケース１内に異物が侵入することを防止することができる。また、ディスク挿入口１０１ａにディスク２００が挿入されたとき、スライドカム部材１８の移動力を利用して蓋体２を閉蓋位置２Ａに自動的に移動させるようにしているので、ディスク２００がターンテーブル１３上に装着されているときに蓋体２が開蓋位置で放置されるようなことを防ぐことができる。これにより、外装ケース１内に異物が侵入することを一層防止することができると共に、ディスク２００の誤挿入を防止することができる。また、スライドカム部材１８の移動力を利用して蓋体２を閉蓋位置２Ａに移動させるので、蓋体２の開閉のために別途駆動源を設ける必要がない。
【０１１９】
また、本実施形態のディスク装置は、閉蓋位置２Ａに移動された蓋体２を当該閉蓋位置２Ａで保持すると共に、開蓋位置２Ｂに移動された蓋体２を当該開蓋位置２Ｂで保持する保持機構と、蓋体２の開閉動作に関連して保持機構による保持状態を切り換える蓋開閉切換機構とを有している。ここで、本実施形態において、保持機構は、筐体１０１と蓋体アーム２ｂと係合するように設けられたトグルばね４で構成され、蓋体２の閉蓋位置２Ａと開蓋位置２Ｂの両状態を、そのトグルばね４の付勢力で保持している。また、本実施形態において、蓋開閉切換機構は、蓋体アーム２ｂとキックアーム３１ｂとで構成されている。しかしながら、本発明の保持機構及び蓋開閉切換機構はこれらの構成に限定されるものではない。また、本実施形態にかかるディスク装置は、蓋体２が開蓋位置２Ｂに位置する状態において、ディスク装着機構がディスク装着動作を行うとき、当該動作に連動して、蓋開閉切換機構により、前記保持機構が蓋体２を開蓋位置２Ｂで保持する状態から、蓋体２を閉蓋位置２Ａで保持する状態に切り換えるように構成されている。これにより、蓋体２を開蓋位置２Ｂに移動させてディスク２００をディスク挿入口１０１ａに挿入するだけの簡単な操作で、ディスク２００のターンテーブル１３上への装着及び蓋体２の閉蓋位置２Ａへの移動を一連の動作として行うことができる。
【０１２０】
また、本実施形態のディスク装置によれば、ディスク２００がターンテーブル１３上に装着された状態で蓋体２が手動操作により開蓋位置２Ｂに移動されたとき、ディスク排出動作が自動的に行われるようにしている。これにより、ディスクがターンテーブル１３上に装着された状態で、別のディスクをディスク挿入口１０１ａに挿入しようとして蓋体２を開蓋位置２Ｂに移動させた場合、ターンテーブル１３上に装着されたディスクがディスク挿入口１０１ａから排出されることになる。従って、ディスクの誤挿入を一層防止することができる。
【０１２１】
なお、本発明は、前記実施形態に限定されるものではなく、その他種々の態様で実施できる。例えば、前記では、ディスク２００をターンテーブル１３とクランパ２１とで挟持して再生可能なクランプ状態とするとき、ターンテーブル１３を有するトラバース１５をクランパ２１に向けて回動させるようにしたが、本発明はこれに限定されない。ターンテーブル１３とクランパ２１とを相対的に移動させることにより、ディスク２００を再生可能なクランプ状態にするように構成されていればよい。例えば、クランパ２１をターンテーブル１３に向けて移動させるように構成してもよい。
【０１２２】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【０１２３】
２０１１年２月４日に出願された日本国特許出願Ｎｏ．２０１１−０２２３６９号の明細書、図面、及び特許請求の範囲の開示内容は、全体として参照されて本明細書の中に取り入れられるものである。
【産業上の利用可能性】
【０１２４】
本発明にかかるディスク装置は、異物の侵入を防止すると共に、ディスクの誤挿入を防止することができるので、特に、ＣＤやＤＶＤ、ＢＤ等のディスク状の記録媒体を、トレイを用いずに装置内の再生可能位置に搬送するように構成されたスロットイン方式のディスク装置に有用である。
【手続補正２】
【補正対象書類名】特許請求の範囲
【補正対象項目名】全文
【補正方法】変更
【補正の内容】
【特許請求の範囲】
【請求項１】
ディスク挿入口から挿入されたディスクを再生可能位置に搬送するディスク搬送動作を行うディスク搬送機構と、
前記再生可能位置に搬送されたディスクを再生可能なクランプ状態にするためにターンテーブル上に装着するディスク装着動作を行うディスク装着機構と、
前記ディスク挿入口を外側から塞ぐ閉蓋位置と前記ディスク挿入口を外部に露出させる開蓋位置とに、手動操作により移動可能に設けられた蓋体と、
前記閉蓋位置に移動された前記蓋体を当該閉蓋位置で保持すると共に、前記開蓋位置に移動された前記蓋体を当該開蓋位置で保持する保持機構と、
前記蓋体の開閉動作に連動して前記保持機構による保持状態を切り換える蓋開閉切換機構と、
を備えるスロットイン方式のディスク装置であって、
前記ディスク装着機構は、前記ディスク装着動作に連動して移動する作動部材を備え、
前記蓋開閉切換機構は、前記ディスク挿入口に前記ディスクが挿入されたとき、前記ディスク装着動作時における前記作動部材の移動力を利用して前記蓋体が前記保持機構により前記開蓋位置で保持された状態を解除し、前記蓋体を前記開蓋位置から前記閉蓋位置に自動的に移動させるように構成された、ディスク装置。
【請求項２】
前記ディスクが前記ターンテーブル上に装着された状態で前記蓋体が手動操作により前記閉蓋位置から前記開蓋位置に移動されたとき、前記ディスク装着機構が前記ディスクのクランプ状態を解除すると共に前記ディスク搬送機構が前記クランプ状態を解除された前記ディスクを前記ディスク挿入口に搬出するディスク排出動作が自動的に行われるように構成された、請求項１に記載のディスク装置。
【請求項３】
前記ディスク搬送機構及び前記ディスク装着機構を駆動する駆動力を発生する駆動源と、
前記駆動源を制御する制御部と、
前記ディスクが前記ターンテーブル上に装着されているか否かを検出するディスク装着検出部と、
前記蓋体の開閉状態を検知する蓋開閉検出部と、
をさらに備え、
前記制御部は、前記蓋体が前記閉蓋位置から前記開蓋位置に移動したことを前記蓋開閉検出部が検出すると共に、前記ディスクが前記ターンテーブル上に装着されていることを前記ディスク装着検出部が検出したとき、前記ディスク排出動作が行われるように前記駆動源を制御する、請求項２に記載のディスク装置。
【請求項４】
前記蓋開閉切換機構は、前記ディスク排出動作時に前記作動部材が移動するとき、前記作動部材の移動力は前記保持機構に伝達されることなく、前記蓋体が前記開蓋位置で保持された状態を維持するように構成された、請求項２又は３に記載のディスク装置。
【請求項５】
前記蓋開閉切換機構は、
前記ディスク装置の外装ケースの内部に配置された回動軸を中心として回動することにより、前記閉蓋位置と前記開蓋位置との間で前記蓋体を移動させるように構成された蓋体アームを備え、
前記蓋体アームは、前記ディスク装着動作時における前記作動部材の移動力を利用して回動することにより、前記蓋体が前記保持機構により前記開蓋位置で保持された状態を解除し、前記蓋体を前記開蓋位置から前記閉蓋位置に移動させるように構成された、請求項１に記載のディスク装置。
【請求項６】
前記蓋開閉切換機構は、
前記作動部材に回動自在に設けられたキックアームと、
前記ディスク装置の外装ケースの内部に配置された回動軸を中心として回動することにより、前記閉蓋位置と前記開蓋位置との間で前記蓋体を移動させるように構成された蓋体アームと、を備え、
前記キックアームは、当該キックアームの回動軸から離れた位置にカム部を有し、
前記カム部は、前記作動部材に接触するように付勢され、
前記蓋体アームは、前記カム部と係合可能な係合部を有し、
前記ディスク装着動作時に前記作動部材と伴に前記キックアームが移動するとき、前記蓋体アームの係合部が前記キックアームのカム部に係合して前記蓋体アームが回動し、当該蓋体アームの回動により、前記蓋体が前記保持機構により前記開蓋位置で保持された状態が解除されて前記蓋体が前記閉蓋位置に移動する一方、前記ディスク排出動作時に前記作動部材と伴に前記キックアームが移動するとき、前記蓋体アームの係合部が前記キックアームのカム部に係合して前記蓋体アームが回動することなく前記キックアームが付勢力に抗して前記蓋体アームから離れる方向に回動し、前記蓋体が前記保持機構により前記開蓋位置で保持された状態を維持するように構成された、請求項２〜４のいずれか１つに記載のディスク装置。
【請求項７】
前記保持機構は、前記蓋体アームを回動方向に付勢するバネ部材を備え、
前記バネ部材は、前記蓋体を前記開蓋位置から前記閉蓋位置に移動させるように前記蓋体アームが回動する途中で、当該蓋体アームを付勢する方向が反転するように構成された、請求項５又は６に記載のディスク装置。
【手続補正３】
【補正対象書類名】図面
【補正対象項目名】全図
【補正方法】変更
【補正の内容】
【図１Ａ】
2012104938.tif 000040
【図１Ｂ】
2012104938.tif 000041
【図２Ａ】
2012104938.tif 000042
【図２Ｂ】
2012104938.tif 000043
【図３】
2012104938.tif 000044
【図４】
2012104938.tif 000045
【図５】
2012104938.tif 000046
【図６】
2012104938.tif 000047
【図７】
2012104938.tif 000048
【図８Ａ】
2012104938.tif 000049
【図８Ｂ】
2012104938.tif 000050
【図９】
2012104938.tif 000051
【図１０】
2012104938.tif 000052
【図１１】
2012104938.tif 000053
【図１２】
2012104938.tif 000054
【図１３】
2012104938.tif 000055
【図１４】
2012104938.tif 000056
【図１５】
2012104938.tif 000057
【図１６Ａ】
2012104938.tif 000058
【図１６Ｂ】
2012104938.tif 000059
【図１７Ａ】
2012104938.tif 000060
【図１７Ｂ】
2012104938.tif 000061
【図１８】
2012104938.tif 000062
【図１９Ａ】
2012104938.tif 000063
【図１９Ｂ】
2012104938.tif 000064
【図２０】
2012104938.tif 000065
【図２１Ａ】
2012104938.tif 000066
【図２１Ｂ】
2012104938.tif 000067
【図２１Ｃ】
2012104938.tif 000068
【図２２Ａ】
2012104938.tif 000069
【図２２Ｂ】
2012104938.tif 000070
【図２２Ｃ】
2012104938.tif 000071
【図２３Ａ】
2012104938.tif 000072
【図２３Ｂ】
2012104938.tif 000073
【図２３Ｃ】
2012104938.tif 000074
【図２４】
2012104938.tif 000075
【図２５】
2012104938.tif 000076
【国際調査報告】
2012104938.tif 000077
2012104938.tif 000078